(57)【要約】本発明はデジタル放送受信機能を有する機能モジュールカードをオプションユニットとしてホスト機器に取り付け可能なデジタル放送受信装置を提供する。  機能モジュールカードは、カード制御部と、デジタル放送信号を入力し、ＴＳとＴＳ転送用のＴＳクロックとを生成し、バスを介してホスト機器のデコーダ兼デスクランブラに直接転送するチューナ部とを有し、ホスト機器は、カード制御部との間で通信を行うホスト制御部と、入出力部と、デコーダ兼デスクランブラとを有する。  ホスト制御部をマスターとしてホスト制御部のクロックを用いたマスター／スレーブ方式のデータ転送方式によってカード制御部とホスト制御部の間のデータ転送を行い、ＴＳクロックを用いてチューナ部とデコーダ兼デスクランブラとの間のデータ転送を行う。
2004105387.tif 000002
【特許請求の範囲】
【請求項１】
複数の接続線を介してホスト機器との間で通信する通信部と、
デジタル放送信号を受信し、前記デジタル放送信号のデータ信号と前記データ信号転送用のクロックとを生成する放送信号受信部と、
を有し、
前記通信部は、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に送信する第２のデータ転送モードと、
を有することを特徴とする機能モジュールカード。
【請求項２】
前記データ信号がトランスポートストリームであることを特徴とする請求項１に記載の機能モジュールカード。
【請求項３】
前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送することを特徴とする請求項１又は請求項２に記載の機能モジュールカード。
【請求項４】
起動時に、前記通信部は前記第１のデータ転送モードで前記ホスト機器と通信を開始し、前記ホスト機器から前記第２のデータ転送モードに切り替える指令を受信した場合に、前記通信部は前記第２のデータ転送モードに切り替えて前記ホスト機器と通信することを特徴とする請求項１又は請求項２に記載の機能モジュールカード。
【請求項５】
前記放送信号受信部が受信した前記データ信号を格納するバッファメモリを更に有し、
前記通信部は、前記ホスト機器からの指令に応じて選択的に、前記放送信号受信部が受信した前記データ信号を前記第２のデータ転送モードで前記ホスト機器に送信し、又は前記バッファメモリに格納し、格納したバッファメモリから読み出した前記データ信号を、前記第１のデータ転送モードで前記ホスト機器に送信する、ことを特徴とする請求項１又は請求項２に記載の機能モジュールカード。
【請求項６】
前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１又は請求項２に記載の機能モジュールカード。
【請求項７】
複数の接続線を介して機能モジュールカードとの間で通信する通信部と、
前記機能モジュールカードから伝送されたデジタル放送信号のデータ信号と前記データ信号転送用のクロックとを入力し、所定の処理を行って出力する放送信号出力部と、
を有し、
前記通信部は、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、
を有することを特徴とするホスト機器。
【請求項８】
前記データ信号がトランスポートストリームであることを特徴とする請求項７に記載のホスト機器。
【請求項９】
前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記機能モジュールカードとの間でデータを転送することを特徴とする請求項７又は請求項８に記載のホスト機器。
【請求項１０】
起動時に、前記通信部は前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記通信部は前記第２のデータ転送モードに切り替えて前記機能モジュールカードと通信することを特徴とする請求項７又は請求項８に記載のホスト機器。
【請求項１１】
前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項７又は請求項８に記載のホスト機器。
【請求項１２】
機能モジュールカードと接続し、前記機能モジュールカードからデジタル放送信号のトランスポートストリームを受信する通信部と、
前記通信部で受信した、スクランブルされたデジタル放送信号のトランスポートストリームをデスクランブルし、又は暗号化されたデジタル放送信号のトランスポートストリームを復号化し、出力する放送信号出力部と、
を有することを特徴とするホスト機器。
【請求項１３】
複数の接続線を介してホスト機器との間で通信する通信ステップと、
デジタル放送信号を受信し、前記デジタル放送信号のデータ信号と前記データ信号転送用のクロックとを生成する放送信号受信ステップと、
を有し、
前記通信ステップは、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に転送する第２のデータ転送モードと、
を有することを特徴とする機能モジュールカードの制御方法。
【請求項１４】
前記データ信号がトランスポートストリームであることを特徴とする請求項１３に記載の機能モジュールカードの制御方法。
【請求項１５】
前記通信ステップは更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送することを特徴とする請求項１３又は請求項１４に記載の機能モジュールカードの制御方法。
【請求項１６】
起動時に、前記通信ステップにおいて、前記第１のデータ転送モードで前記ホスト機器と通信を開始し、前記ホスト機器から前記第２のデータ転送モードに切り替える指令を受信した場合に、前記第２のデータ転送モードに切り替えて前記ホスト機器と通信することを特徴とする請求項１３又は請求項１４に記載の機能モジュールカードの制御方法。
【請求項１７】
前記通信ステップにおいて、前記ホスト機器からの指令に応じて選択的に、前記放送信号受信部が受信した前記データ信号を前記第２のデータ転送モード又は前記第１のデータ転送モードで前記ホスト機器に送信することを特徴とする請求項１３又は請求項１４に記載の機能モジュールカードの制御方法。
【請求項１８】
前記通信ステップの前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１３又は請求項１４に記載の機能モジュールカードの制御方法。
【請求項１９】
複数の接続線を介して機能モジュールカードとの間で通信する通信ステップと、
前記機能モジュールカードから伝送されたデジタル放送信号のデータ信号と前記データ信号転送用のクロックとを入力し、所定の処理を行って出力する放送信号出力ステップと、
を有し、
前記通信ステップは、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、
を有することを特徴とするホスト機器の制御方法。
【請求項２０】
前記データ信号がトランスポートストリームであることを特徴とする、請求項１９に記載のホスト機器の制御方法。
【請求項２１】
前記通信ステップは更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用いて、かつ前記第１のデータ転送モードの転送プロトコルと同じ転送プロトコルを使用して、前記機能モジュールカードとの間でデータを転送することを特徴とする請求項１９又は請求項２０に記載のホスト機器の制御方法。
【請求項２２】
起動時に、前記通信ステップにおいて、前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記第２のデータ転送モードに切り替えて前記機能モジュールカードと通信することを特徴とする請求項１９又は請求項２０に記載のホスト機器の制御方法。
【請求項２３】
前記通信ステップの前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１９又は請求項２０に記載のホスト機器の制御方法。
【請求項２４】
機能モジュールカードと接続し、前記機能モジュールカードからデジタル放送信号のトランスポートストリームを受信する通信ステップと、
前記通信ステップで受信した、スクランブルされたデジタル放送信号のトランスポートストリームをデスクランブルし、又は暗号化されたデジタル放送信号のトランスポートストリームを復号化し、出力する放送信号出力ステップと、
を有することを特徴とするホスト機器の制御方法。
【発明の詳細な説明】
【技術分野】  本発明は、機能モジュールカード、ホスト機器及びそれらの制御方法に関する。
【背景技術】  近年、地上波デジタル放送が開始された。これに応じて、様々なデジタル放送受信装置及びデジタル放送受信方法が提案されている（例えば、特開２００２−３００１２８号公報、特開２００２−２１８３４１号公報、２００２−１３５８０８号公報、特開２００１−１９７０２５号公報及び特許第３３８９８４３号公報を参照）。
デジタル放送受信装置において、デジタル放送受信機能モジュールは高価である。従って、デジタル放送受信機能モジュールを内蔵している高価な機器よりも、デジタル放送受信機能モジュールをオプションユニットとして取り付け可能であり機器本体としては安価な機器の方が、ユーザにとって魅力的である場合が多い。本発明は、デジタル放送受信機能を有する機能モジュールカード、その機能モジュールカードをオプションユニットとして取り付け可能な安価なホスト機器を実現する。
このような機能モジュールカード及びホスト機器を実現するに当たり、以下の２つの課題が生じる。
（ｉ）第１の課題
汎用性の高いインターフェースを有する機能モジュールカードに、デジタル放送受信機能を搭載することができれば、ユーザにとってホスト機器及びオプションを選択する範囲が非常に広がるので魅力的である。また、汎用性の高いインターフェースを有する機能モジュールカードがデジタル放送受信機能と、他の機能とを合わせて持っていれば、その機能モジュールカードは更にユーザにとって魅力的である。逆に、デジタル放送受信機能を有する機能モジュールカードが専用のインターフェースでしかホスト機器と接続できないのであれば、特定のホスト機器にしかその機能モジュールカードを取り付けることができず、またホスト機器には特定の機能モジュールカードしか取り付けることができない。従ってホスト機器と機能モジュールカードとの組み合わせのバリエーションは非常に限定されたものになる。そのような機能モジュールカードは高価になり易く、またホスト機器及びオプションを選択する範囲が限られることは、それらの商品をユーザにとって魅力の無いものにする。
しかし、一般に汎用の機能モジュールカードは、ホスト機器をマスターとし、機能モジュールカードをスレーブとするマスター／スレーブ方式の通信（ホスト機器が通信クロックを定める。）によりホスト機器と通信するものが多い。一方、時間軸上で連続するデジタル放送信号は、基本的にデジタル放送信号から生成されるクロックで処理し出力する必要がある。そうしなければ、無信号区間が発生したり（画面（又は音声）のブラックアウト又はフリーズ）、信号を出力できないで放棄する場合（画面又は音声のスキップ）が発生する可能性があるからである。両者即ち汎用の機能モジュールカードの通信クロックとデジタル放送信号から生成されるクロックの制御方法は全く異なる。従って従来の汎用のインターフェースを有する機能モジュールカードに、デジタル放送信号受信機能を搭載しても、正しいクロックでデジタル放送信号をホスト機器に転送することができないという第１の課題が生じる。
本発明は、汎用のインターフェースと、デジタル放送信号受信機能とを有し、正しいクロックでデジタル放送信号をホスト機器に転送する機能モジュールカード、それに対応するホスト機器及びそれらの制御方法を提供することを目的とする。
（ｉｉ）第２の課題
有料デジタル放送において、放送局は、スクランブルし又は暗号化したデジタル放送信号を送信し、対価を支払ったユーザが有する機器にそのデスクランブル又は暗号の復号化に必要な情報をロードする。これにより、対価を支払ったユーザのみがデジタル放送を視聴できるようにしている。しかし、機能モジュールカードがデジタル放送受信機能を有すると、１つの機能モジュールカードを複数のユーザが使い回すことにより、一人のユーザが放送局に対価を支払うだけで、複数のユーザが不法にデジタル放送を視聴できることになる。即ち、放送局から送信されるデジタルコンテンツの著作権を保護できないという、第２の課題が生じる。
本発明は、デジタル放送受信機能を有し、ホスト機器にオプションユニットとして取り付け可能であり、放送されるデジタルコンテンツの著作権を保護できる機能モジュールカード、それに対応する安価なホスト機器及びそれらの制御方法を提供することを目的とする。
【発明の開示】
上記課題を解決するため、本発明は以下の構成を有する。本発明の１つの観点による機能モジュールカードは、複数の接続線を介してホスト機器との間で通信する通信部と、デジタル放送信号を受信し、前記デジタル放送信号のデータ信号と前記データ信号転送用のクロックとを生成する放送信号受信部と、を有し、前記通信部は、複数の前記接続線をデータバスとしてデータを転送する第１のデータ転送モードと、前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に送信する第２のデータ転送モードと、を有する。
本発明は、オプションユニットとしてホスト機器に任意に取り付け可能であり、ホスト機器本体が安価であるシステム（デジタル放送受信装置）を構成する機能モジュールカードを実現する。
本発明は、汎用のインターフェースと、デジタル放送信号受信機能とを有し、正しいクロックでデジタル放送信号をホスト機器に転送する機能モジュールカードを実現する。本発明は、通常のデータ転送とデジタル放送信号の転送とをホスト機器との間で実行可能な機能モジュールカードを実現する。本発明により、ホスト機器は映像信号及び／又は音声信号を正しく再生できる。ホスト機器からチャンネル設定指令を通常のデータ転送機能を利用して機能モジュールカードに送信することにより、例えばホスト機器から機能モジュールカードのチューナ部（放送信号受信部に含まれる。）のチャンネル設定等の操作を行える。
機能モジュールカードに入力する信号は、地上波デジタル放送、ＢＳデジタル放送及びＣＳデジタル放送等のデジタル放送信号である。
本発明の別の観点による上記の機能モジュールカードにおいては、前記データ信号がトランスポートストリームである。
本発明の別の観点による上記の機能モジュールカードは、前記通信部は更に、前記第２のデータ転送モードにおいて、第１のデータ転送モードにおけるデータバスラインとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送する。
本発明は、更に、デジタル放送信号をホスト機器に送信しているモードにおいても、通常のデータ転送が可能な機能モジュールカードを実現する。
本発明の別の観点による上記の機能モジュールカードにおいて、起動時に、前記通信部は前記第１のデータ転送モードで前記ホスト機器と通信を開始し、前記ホスト機器から前記第２のデータ転送モードに切り替える指令を受信した場合に、前記通信部は前記第２のデータ転送モードに切り替えて前記ホスト機器と通信する。
本発明は、デジタル放送信号受信機能を有する本発明の機能モジュールカードに対応するホスト機器との間で通常のデータ転送とデジタル放送信号の転送とを実行し、本発明の機能モジュールカードに対応していないホスト機器との間で通常のデータ転送を適切に実行する機能モジュールカードを実現する。
本発明の別の観点による上記の機能モジュールカードは、前記放送信号受信部が受信した前記データ信号を格納するバッファメモリを更に有し、前記通信部は、前記ホスト機器からの指令に応じて選択的に、前記放送信号受信部が受信した前記データ信号を前記第２のデータ転送モードで前記ホスト機器に送信し、又は前記バッファメモリに格納し、格納したバッファメモリから読み出した前記データ信号を、前記第１のデータ転送モードで前記ホスト機器に送信する。
本発明は、更に、通常のデータ転送によってもデジタル放送信号を転送可能な機能モジュールカードを実現する。
例えばホスト機器は、トランスポートストリームを転送するためのクロックの時間間隔に応じて、モニタへの画像データの出力速度を調整する。
本発明の別の観点による上記の機能モジュールカードは、前記第１のデータ転送モードにおいて、前記ホスト機器をマスターとし、機能モジュールカードをスレーブとするマスター／スレーブ方式の通信により、複数の前記接続線をデータバスとしてデータを転送する。
本発明は、汎用のマスター／スレーブ方式の通信を行うインターフェースと、デジタル放送信号受信機能とを有し、正しいクロックでデジタル放送信号をホスト機器に転送する機能モジュールカードを実現する。
本発明の１つの観点によるホスト機器は、複数の接続線を介して機能モジュールカードとの間で通信する通信部と、前記機能モジュールカードから伝送されたデジタル放送信号のデータ信号と前記データ信号転送用のクロックとを入力し、所定の処理を行って出力する放送信号出力部と、を有し、前記通信部は、複数の前記接続線をデータバスとしてデータを転送する第１のデータ転送モードと、前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、を有する。
本発明は、デジタル放送受信機能を有する機能モジュールカードをオプションユニットとして取り付け可能な、安価なホスト機器を実現する。本発明により、ホスト機器は映像信号及び／又は音声信号を正しく再生できる。ホスト機器からチャンネル設定指令を通常のデータ転送機能を利用して機能モジュールカードに送信することにより、例えばホスト機器から機能モジュールカードのチューナ部のチャンネル設定等の操作を行える。
本発明は、汎用のインターフェースを有し、本発明の機能モジュールカードから正しいクロックでデジタル放送信号を受信するホスト機器を実現する。本発明は、通常のデータ転送とデジタル放送信号の受信とを本発明の機能モジュールカードとの間で実行可能なホスト機器を実現する。
本発明の別の観点による上記のホスト機器においては、前記データ信号がトランスポートストリームである。
本発明の別の観点による上記のホスト機器においては、前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記機能モジュールカードとの間でデータを転送する。
本発明は、更に、機能モジュールカードからデジタル放送信号を受信しているモードにおいても、同時に通常のデータ転送が可能なホスト機器を実現する。
本発明の別の観点による上記のホスト機器においては、起動時に、前記通信部は前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記通信部は前記第２のデータ転送モードに切り替えて前記機能モジュールカードと通信する。
本発明は、本発明の機能モジュールカードから正しいクロックでデジタル放送信号を受信するホスト機器を実現する。
「前記機能モジュールカードと通信を開始し、前記機能モジュールカードがデジタル放送信号を受信し、前記デジタル放送信号のデータ信号と前記データ信号転送用のクロックとを生成する」か否かは、典型的にはホスト機器が機能モジュールカードから入力した機能モジュールカードの識別情報又は機能モジュールカードの機能の情報に基づいて判断する。
本発明の別の観点による上記のホスト機器は、前記第１のデータ転送モードにおいて、前記ホスト機器をマスターとし、機能モジュールカードをスレーブとするマスター／スレーブ方式の通信により、複数の前記接続線をデータバスとしてデータを転送する。
本発明は、汎用のマスター／スレーブ方式の通信を行うインターフェースを有し、本発明の機能モジュールカードから正しいクロックでデジタル放送信号を受信するホスト機器を実現する。
本発明の１つの観点による上記のホスト機器は、機能モジュールカードと接続し、前記機能モジュールカードからデジタル放送信号のトランスポートストリームを受信する通信部と、前記通信部で受信した、スクランブルされたデジタル放送信号のトランスポートストリームをデスクランブルし、又は暗号化されたデジタル放送信号のトランスポートストリームを復号化し、出力する放送信号出力部と、を有する。
本発明は、デジタル放送受信機能を有する機能モジュールカードをオプションユニットとして任意に取り付け可能であり、ユーザが放送局に対価を支払っている場合に限り、機能モジュールカードから入力したデジタル放送を正常に出力するホスト機器を実現する。
デジタル放送受信装置の機能を、ホスト機器と機能モジュールカードに分割して搭載するので、安価なホスト機器を実現できる。放送されたデジタルコンテンツの著作権を保護できる。
本発明は、上記と同様の作用及び効果を有する機能モジュールカードの制御方法、及びホスト機器の制御方法を実現する。
本発明の機能モジュールカード及びホスト機器によれば、機能モジュールカードからホスト機器にデジタル放送信号を転送し、且つ両者の間で通常のデータ転送を実行するデジタル放送受信装置を実現できる。更に、デジタル放送受信機能を有する機能モジュールカードをオプションユニットとしてホスト機器に任意に取り付け可能であり、放送されるデジタルコンテンツの著作権を保護できるデジタル放送受信装置を実現できる。
発明の新規な特徴は添付の請求の範囲に特に記載したものに他ならないが、構成及び内容の双方に関して本発明は、他の目的や特徴と共に、図面と共同して理解されるところの以下の詳細な説明から、より良く理解され評価されるであろう。
【図面の簡単な説明】  図１は本発明の実施の形態１の機能モジュールカード及びホスト機器を有するデジタル放送受信装置の構成を示す図である。
図２は本発明の実施の形態１のデジタル放送受信方法（機能モジュールカードの制御方法及びホスト機器の制御方法を含む。）において、ユーザがホスト機器に地上波デジタル放送の受信開始を指令してから、機能モジュールカードのチューナ部が動作開始するまでの機能モジュールカード及びホスト機器の制御方法を示すフローチャートである。
図３は本発明の実施の形態１、２及び３のデジタル放送受信方法（機能モジュールカードの制御方法及びホスト機器の制御方法を含む。）において、ホスト機器１６０から機能モジュールカード１１０への視聴するチャンネルの指定方法及び、機能モジュールカード１１０からホスト機器１６０へのＴＳの転送方法を示すフローチャートである。
図４は本発明の実施の形態２の機能モジュールカード及びホスト機器を有するデジタル放送受信装置の構成を示す図である。
図５は本発明の実施の形態２及び３のデジタル放送受信方法（機能モジュールカードの制御方法及びホスト機器の制御方法を含む。）において、ユーザがホスト機器に地上波デジタル放送の受信開始を指令してから、セレクタが切り替わるまでの機能モジュールカード及びホスト機器の制御方法を示すフローチャートである。
図６は本発明の実施の形態３の機能モジュールカード及びホスト機器を有するデジタル放送受信装置の構成を示す図である。
図面の一部又は全部は、図示を目的とした概要的表現により描かれており、必ずしもそこに示された要素の実際の相対的大きさや位置を忠実に描写しているとは限らないことは考慮願いたい。
【発明を実施するための最良の形態】  以下本発明の実施をするための最良の形態を具体的に示した実施の形態について、図面とともに記載する。
《実施の形態１》
図１〜図３を用いて、本発明の実施の形態１の機能モジュールカード、ホスト機器及びそれらの制御方法を説明する。
図１は、本発明の実施の形態１の機能モジュールカード及びホスト機器を有するデジタル放送受信装置の構成を示す図である。図１において、１１０は機能モジュールカード、１６０はホスト機器である。機能モジュールカード１１０は、地上波デジタル放送信号を受信し、チューナ１１２で選択されたチャンネルの放送信号（映像信号及び音声信号を含む。）のトランスポートストリーム（以下、「ＴＳ」と言う。）をホスト機器１６０に転送する。ホスト機器１６０は入力したＴＳをデコード及びデスクランブルし、地上波デジタル放送の映像信号及び音声信号を出力する。
機能モジュールカード１１０は、アンテナ１５０、チューナ部１１１、カード制御部１１４、メモリ１１８を有する。チューナ部１１１は、チューナ１１２及び復調部１１３を有する。カード制御部１１４は、通信部１１５、チューナ部コントローラ１１６及びカード情報記憶部１１７を有する。ホスト機器１６０は、ＣＰＵ（Ｃｅｎｔｒａｌ  Ｐｒｏｃｅｓｓｉｎｇ  Ｕｎｉｔ）１６１、バスライン１６２、デコーダ兼デスクランブラ１６３、ホスト制御部１６４、入出力部１６５及びクロック生成部１６６を有する。
ホスト機器１６０は、機能モジュールカード１１０を装着可能なカードスロット（図示しない。）を有する。ホスト機器１６０のカードスロットに設けられたコネクタ（図示しない。）は、カードスロットに装着された機能モジュールカード１１０のコネクタ（図示しない。）と接続される。このコネクタを通じて、ホスト機器１６０は、機能モジュールカード１１０に電力及び制御コマンド、データ等を出力し、機能モジュールカード１１０が出力する動画の映像信号及び音声信号、データ等を入力する。ホスト機器１６０はＰＤＡ（Ｐｅｒｓｏｎａｌ  Ｄｉｇｉｔａｌ  Ａｓｓｉｓｔａｎｔｓ）である。ホスト機器１６０は他の機器（例えばノートパソコン、携帯電話）であっても良い。
ホスト機器１６０は、そのカードスロット（その中のコネクタを含む。）に、機能モジュールカード１１０の他、種々の機能モジュールカード（メモリ機能のみを有する機能モジュールカード、メモリ機能と他の機能（例えば無線通信機能）を有する機能モジュールカード等）を装着し、動作させることができる。
実施の形態１では、機能モジュールカード１１０はＳＤカード（登録商標）である。機能モジュールカード１１０は、任意の汎用の機能モジュールカード、例えばＳＤカード、ＩＣカード、メモリースティック（登録商標）である。ホスト機器１６０に機能モジュールカード１１０を装着することにより、ホスト機器１６０に、機能モジュールカード１１０に搭載された機能を付加できる。実施の形態１では、機能モジュールカード１１０は、地上波デジタル放送信号を受信する機能とメモリ機能とを有し、それらの機能をホスト機器１６０に付加する。
ホスト機器１６０の入出力部１６５は、外部からコマンドを受信する。例えば、ユーザが地上波デジタル放送の受信開始指令、受信チャンネルの指定指令などの指令を、ホスト機器１６０に入出力部１６５（操作部を含む。）を介して入力する。更に入出力部１６５は、接続した外部機器である又は内蔵するディスプレイ及びスピーカに映像信号及び音声信号を出力する。入出力部１６５が、映像信号及び音声信号を出力する方法については、後述する。
ＣＰＵ１６１は、ホスト機器１６０内部の動作を制御する（ＰＤＡとしての動作及びデコーダ兼デスクランブラ１６３等の動作を制御することを含む。）と共に、機能モジュールカード１１０にその動作を指示し、ホスト制御部１６４と通信部１１５との間の通信を制御する。
ホスト機器１６０は、内部で生成し、又は入出力部１６５を通じて外部から入力したデータを、機能モジュールカード１１０のメモリ１１８に記憶させ、又はメモリ１１８から読み出したデータを処理し、出力することができる。
機能モジュールカード１１０とホスト機器１６０とは、バス１７０を介して接続している。バス１７０は、チューナ部１１１とクロック生成部１６６及びデコーダ兼デスクランブラ１６３との間の通信を実行するためのクロック線１３１及びデータ線１３２と、ホスト制御部１６４と通信部１１５との間の通信を実行するためのクロック線１４１、データ線１４３、１４４、及びコマンド／レスポンス線１４２と、を有する。ホスト機器１６０から機能モジュールカード１１０に電源を供給する電源線及びグラウンド線が、両者の接続線に含まれる（図示しない。）。機能モジュールカード１１０は、ホスト機器１６０から電力を供給されて動作する。
ホスト制御部１６４と通信部１１５とは、クロック線１４１、データ線１４３、１４４及びコマンド／レスポンス線１４２で接続され、ホスト機器１６０をマスターとし機能モジュールカード１１０をスレーブとするマスター／スレーブ方式の通信を行う（以下、「第１のデータ転送方式」と言う）。第１のデータ転送方式は、ホスト制御部１６４が出力するクロック（以下、「ホストクロック」と言う。クロック線１４１で伝送される。）によってコマンド及びレスポンス（コマンド／レスポンス線１４２で伝送される。）と、データ（データの種類に応じて、コマンド／レスポンス線１４２で伝送され、又はデータ線１４３及び１４４で伝送される。）と、を双方向に伝送するシンクロナス方式の通信である。ホスト制御部１６４がコマンド（又はコマンド及びデータ）を通信部１１５に伝送し、コマンドに応じて通信部１１５がホスト制御部１６４にレスポンス（又はレスポンス及びデータ）をホスト制御部１６４に伝送する。また第１のデータ転送方式のみを使用してデータ転送を行なうモードを第１のデータ転送モードとする
チューナ部コントローラ１１６は、ホスト制御部１６４から通信部１１５に伝送された受信開始指令又は受信チャンネルの指定等の指令に従って、チューナ１１２の受信を開始し、受信チャンネルを設定等する。
チューナ１１２は、チューナコントローラ１１６の指令に従って、選択されたチャンネルの地上波デジタル放送信号を受信する。チューナ部１１１の復調部１１３は、チューナ１１２が受信した地上波デジタル放送信号をベースバンド信号に復調し、そのＴＳ及びＴＳのデータ転送用のクロック（以下、「ＴＳクロック」と言う。）を生成する。
復調部１１３とデコーダ兼デスクランブラ１６３とは、データ線１３２で接続されている。復調部１１３とクロック生成部１６６とは、クロック線１３１で接続されている。復調部１１３は、クロック線１３１及びデータ線１３２を介し一方向に、クロック生成部１６６及びデコーダ兼デスクランブラ１６３に、連続信号であるＴＳクロック及びＴＳ（映像信号及び音声信号を含む。）を転送する（以下、「第２のデータ転送方式」と言う）。第２のデータ転送方式は、ＴＳクロックを使用するシンクロナス方式の通信である。また第２のデータ転送方式を使用してデータ転送を行なうモードを第２のデータ転送モードとする（第１のデータ転送方式と第２のデータ転送方式を同時に使用する場合も含む）。
クロック生成部１６６は、ＴＳクロックを入力し、Ｎ分周する。更に、ＴＳクロックそのものをデコーダ兼デスクランブラ１６３に転送し、Ｎ分周したＴＳクロックを入出力部１６５に転送する。
デコーダ兼デスクランブラ１６３には、ＴＳクロック及びＴＳが入力される。ホスト機器１６０のデコーダ兼デスクランブラ１６３は、ＴＳクロックに応じてＴＳを入力し、地上波デジタル放送信号をデコードし、デスクランブルする。
入出力部１６５は、デコーダ兼デスクランブラ１６３が出力した映像信号及び音声信号を、Ｎ分周したＴＳクロックのタイミングで、ディスプレイ及びスピーカ（外部機器として接続し又は内蔵する。）に出力する。
カード情報記憶部１１７は、機能モジュールカード１１０が地上波デジタル放送を受信可能であること、地上波デジタル放送のＴＳを第２のデータ転送方式で送信可能であること、及び第１のデータ転送方式でデータ信号を送受信可能であることを含む、機能モジュールカード１１０の機能に関する情報（「カード情報」と呼ぶ。）を記憶している。
メモリ１１８は、不揮発性メモリ（実施の形態１においてはフラッシュメモリ）である。メモリ１１８は、ホスト機器１６０のホスト制御部１６４から通信部１１５に送信されたデータが書き込まれ、又メモリ１１８から読み出したデータは通信部１１５及びホスト制御部１６４を介してホスト機器１６０に伝送される。
機能モジュールカード１１０において、チューナ部１１１のＴＳ及びＴＳクロックの出力バッファ（図示しない。）と通信部１１５とは、機能モジュールカード１１０の通信部を構成する。チューナ部１１１のチューナ１１２及び復調部１１３は、放送信号受信部を構成する。
ホスト機器１６０において、デコーダ兼デスクランブラ１６３の入力バッファ（図示しない。）と、クロック生成部１６６の入力バッファ（図示しない。）と、ホスト制御部１６４の通信部１１５との通信インターフェースとは、ホスト機器１６０の通信部を構成する。デコーダ兼デスクランブラ１６３と、クロック生成部１６６と、入出力部１６５の映像信号及び音声信号の出力インターフェース（図示しない。）とは、ホスト機器１６０の放送信号出力部を構成する。
図２及び図３を用い、本発明の実施の形態１の機能モジュールカードの制御方法及びホスト機器の制御方法を説明する。図２は、本発明の実施の形態１のデジタル放送受信方法（機能モジュールカードの制御方法及びホスト機器の制御方法を含む。）において、ユーザがホスト機器１６０に地上波デジタル放送の受信開始を指令してから、機能モジュールカード１１０のチューナ部１１１が動作開始するまでの機能モジュールカード１１０及びホスト機器１６０の制御方法を示すフローチャートである。
ユーザは、入出力部１６５に地上波デジタル放送の受信開始指令を入力する。ホスト制御部１６４は、地上波デジタル放送の受信開始指令を入出力部１６５からバスライン１６２を介して受け取る。ステップ２２１でホスト制御部１６４は、コマンド／レスポンス線１４２を介して通信部１１５にカード情報の送信要求指令を送信する。ホスト制御部１６４は、コマンド又はデータを送信時及びレスポンス又はデータを受信時、クロック線１４１からホストクロックを出力する。
機能モジュールカード１１０の通信部１１５は、カード情報の送信要求指令を受信する（ステップ２０１）。通信部１１５は、機能モジュールカード１１０が地上波デジタル放送を受信可能であること、及び地上波デジタル放送のＴＳを第２のデータ転送方式で送信可能であること、を含むカード情報をカード情報記憶部１１７から読み出し、ホスト制御部１６４にデータ線１４３、又はデータ線１４３及び１４４を介して送信する（ステップ２０２）。ホスト制御部１６４はステップ２２２でカード情報を受信し、ステップ２２３で機能モジュールカード１１０に第２のデータ転送方式によるデータ転送を許可する通知を、コマンド／レスポンス線１４２を介して通信部１１５に送信する。ステップ２０３で通信部１１５は、第２のデータ転送方式によるデータ転送の許可通知を受信する。通信部１１５は、チューナ部コントローラ１１６にチューナ部１１１の受信開始を指令する。チューナ部コントローラ１１６は、チューナ部１１１の動作を開始させる（ステップ２０４）。
図３は、本発明の実施の形態１のデジタル放送受信方法（機能モジュールカードの制御方法及びホスト機器の制御方法を含む。）において、ホスト機器１６０から機能モジュールカード１１０への視聴するチャンネルの指定方法及び、機能モジュールカード１１０からホスト機器１６０へのＴＳの転送方法を示すフローチャートである。
ユーザは、ホスト機器１６０の入出力部１６５を介し、視聴するチャンネルを指定する。入出力部１６５はホスト制御部１６４に受信チャンネル指定指令の送信を指示する。ホスト制御部１６４は機能モジュールカード１１０の通信部１１５に、コマンド／レスポンス線１４２を介して受信チャンネル指定の指令を送信し、データ線１４３又はデータ線１４３及び１４４を介して受信チャンネルの値を送信する（ステップ３２１）（以後、受信チャンネル指定指令とそのチャンネルの値とを合わせて「受信チャンネル指定指令」と呼ぶ。）。ホスト制御部１６４は、コマンド又はデータを送信時及びレスポンス又はデータを受信時、クロック線１４１からホストクロックを出力する。機能モジュールカード１１０の通信部１１５は受信チャンネル指定指令を受信する（ステップ３０１）。通信部１１５は、コマンド／レスポンス線１４２を介してホスト制御部１６４にＡＣＫ信号を送信する（ステップ３０２）。ホスト制御部１６４はＡＣＫ信号を受信する（ステップ３２２）。
以上のステップ３０１〜３０２及びステップ３２１〜３２２のデータ伝送は、第１のデータ転送方式で実行される。
通信部１１５はチャンネル指定指令をチューナ部コントローラ１１６を介してチューナ部１１１に送る。ステップ３０３で、チューナ１１２は、アンテナ１５０から指定されたチャンネルの地上波デジタル放送信号を受信し、復調部１１３に入力する。復調部１１３は、地上波デジタル放送信号をベースバンド信号に復調し、ＴＳを生成し、ＴＳから抽出した同期信号に基づいてＴＳクロックを生成する（ステップ３０４）。ステップ３０５で復調部１１３は、ホスト機器１６０のクロック生成部１６６に、ＴＳクロックをクロック線１３１を介して送信する。クロック生成部１６６は、受信したＴＳクロックを、そのままデコーダ兼デスクランブラ１６３に転送する。ステップ３０６で復調部１１３は、ホスト機器１６０のデコーダ兼デスクランブラ１６３に、ＴＳをデータ線１３２を介して送信しステップ３０３に戻る。ＴＳは、ホストクロックではなく、復調部１１３で生成されたＴＳクロックに同期して転送される。ステップ３２３で、デコーダ兼デスクランブラ１６３はＴＳ及びＴＳクロックを受信する。ステップ３０５、ステップ３０６及びステップ３２３のデータ転送は第２のデータ転送方式により実行される。
デコーダ兼デスクランブラ１６３は、ＴＳをデコードし、デスクランブルして映像信号及び音声信号を生成し、バスライン１６２を介して入出力部１６５に送信する（ステップ３２４）。入出力部１６５は、映像信号及び音声信号を受信し、ＴＳクロックをＮ分周したクロックのタイミングで、ディスプレイ及びスピーカに出力する。映像・音声信号が再生され（ステップ３２５）。その後ステップ３２３に戻る。
ホストクロックと、ＴＳクロックとは互いに同期していない全く別個のクロックである。実施の形態１では、通常のマスター／スレーブ方式の通信に使用する信号線（コマンド／レスポンス線１４２、クロック線１４１、データ線１４３及びデータ線１４４）とは別の２本の信号線（クロック線１３１及びデータ線１３２）を介して、ＴＳから生成したＴＳクロックでＴＳの転送を行うので、ホスト機器１６０のデコーダ兼デスクランブラ１６３は、機能モジュールカード１１０が受信したデジタル放送信号に完全に同期することが可能である。ホスト機器１６０は、映像信号及び音声信号を正しく、不連続（例えば画面（又は音声）のブラックアウト、フリーズ又はスキップ）が発生しないように再生できる。
ホスト機器１６０と機能モジュールカード１１０とは、第２のデータ転送方式によるＴＳの伝送と並行して、第１のデータ転送方式により、チャンネル設定の操作指令等を伝送できる。機能モジュールカード１１０からホスト機器１６０へのＴＳの伝送が行われている時に、ホスト機器１６０はユーザからの受信チャンネル指定指令を受信し、機能モジュールカード１１０に送信できる。また、ホスト機器１６０は、機能モジュールカード１１０からホスト機器１６０へのＴＳの伝送が行われているか否かに関係なく、メモリ１１８にデータを書き込み、又はデータを読み出すことができる。
第１のデータ転送方式における１本のデータ線１４３又は２本のデータ線１４３及び１４４でのデータ転送は、汎用の機能モジュールカードで規定されている、同じデータ転送プロトコルに従って実行される。これにより、機能モジュールカード１１０は、本発明のホスト機器１６０のみならず、従来のホスト機器に装着した場合にも、少なくともデジタル放送受信機能以外の機能（例えばメモリ１１８のデータ格納機能）を実行することができる。本発明のホスト機器１６０に、本発明の機能モジュールカード１１０のみならず、従来の機能モジュールカード（ＴＳ及びＴＳクロックを出力できない。）と接続した場合にも、従来の機能モジュールカードの機能を発揮させることができる。
実施の形態１において、ＳＤカードである機能モジュールカード１１０と、ホスト機器１６０とは、通常のＳＤカードで規定されるデータ転送プロトコル（例えば、Ｍａｔｓｕｓｈｉｔａ  Ｔｅｃｈｎｉｃａｌ  Ｊｏｕｒｎａｌ（日本）、２００２年、第４８巻、第３号、ｐ．１１０参照。）に従って、第１のデータ転送方式でのデータ転送を実行する。通常のＳＤカードで規定されるデータ転送プロトコルにおいては、１本のデータ線を使用する１ビットモード又は４本のデータ線を使用する４ビットモードでのデータ転送が可能である。実施の形態１の第１のデータ転送方式はデータ線１４３、１４４の何れか１本を使用する１ビットモードのデータ転送である。
実施の形態１では、機能モジュールカード１１０とホスト機器１６０とは、チューナ部１１１とデコーダ兼デスクランブラ１６３とをそれぞれ分離して搭載している。機能モジュールカード１１０からバス１７０には、スクランブルされたＴＳが出力される。ＴＳは正しいスクランブル情報を有するホスト機器１６０でしかデスクランブルできないので、例えば機能モジュールカード１１０を、地上波デジタル放送の視聴契約をしていないユーザのホスト機器に装着しても、そのユーザのホスト機器は、ＴＳを正しくデスクランブルできない。ＴＳに含まれるデジタルコンテンツの著作権を保護できる。
実施の形態１では、ホスト機器１６０は地上波デジタル放送を視聴するための必要最低限の機能しか搭載していない。その他の機能は機能モジュールカード１１０に搭載している。ホスト機器１６０は、機能モジュールカード１６０を搭載することでその機能を拡張できる。従って、地上波デジタル放送を受信するための全ての機能を搭載したホスト機器に比べ、低コストのホスト機器を提供可能である。ホスト機器１６０を購入したユーザが、購入後にホスト機器１６０の機能を拡張したい場合には、拡張する機能を搭載した機能モジュールカードをカードスロットに装着すれば良い。デジタル放送信号の放送規格が受信チャンネルによって異なる場合には、ユーザは、受信を希望するチャンネルのデジタル放送信号の仕様に対応したチューナを内蔵した機能モジュールカードを、カードスロットに装着すれば良い。
《実施の形態２》
図３、図４及び図５を用いて、本発明の実施の形態２の機能モジュールカード、ホスト機器及びそれらの制御方法を説明する。
図４は、本発明の実施の形態２の機能モジュールカード及びホスト機器を有するデジタル放送受信装置の構成を示す図である。図４において、４１０は機能モジュールカード、４６０はホスト機器である。実施の形態２の機能モジュールカード４１０は、実施の形態１の機能モジュールカード１１０（図１）のカード制御部１１４及び通信部１１５をカード制御部４１４及び通信部４１５に置き換え、セレクタ４２０を加えたものである。セレクタ４２０は、スイッチ４２１及び４２２を有する。実施の形態２のホスト機器４６０は、実施の形態１のホスト機器１６０（図１）のホスト制御部１６４をホスト制御部４６４に置き換え、セレクタ４７０を加えたものである。セレクタ４７０は、スイッチ４７１及び４７２を有する。
機能モジュールカード４１０とホスト機器４６０とは、バス１７０を介して接続している。バス１７０は、クロック線１３１、データ線１３２、クロック線１４１、データ線１４３及び１４４及びコマンド／レスポンス線１４２を有する。また、クロック線１３１はデータ線として使われる場合もある。
図４に示すデジタル放送受信装置において、図１に示したデジタル放送受信装置と共通の部分には同一の符号を使用し、説明を省略する。
機能モジュールカード４１０の通信部４１５とホスト機器４６０とは、ホスト機器４６０のクロック（ホストクロック）により実施の形態１で説明した第１のデータ転送方式でデータ転送を実行する。カード制御部４１４の通信部４１５とホスト機器４６０のホスト制御部４６４とは、クロック線１４１、コマンド／レスポンス線１４２、並びに１本のデータ線１４３（又は２本のデータ線１４３、１４４、又は４本のデータ線１３１（クロック線１３１をデータ線として使用する。）、１３２、１４３、１４４）を介し、第１のデータ転送方式によってデータ転送を行う。
（ｉ）スイッチ４２１、４２２、４７１及び４７２が破線側に切り替わっている場合（「第１のデータ転送モード」と呼ぶ。）、機能モジュールカード４１０からホスト機器４６０にＴＳ及びＴＳクロックの転送は行われない。この場合、クロック線１３１及びデータ線１３２は、ホスト制御部４６４と通信部４１５との間のデータ転送において、データ線として使用される。カード制御部４１４の通信部４１５とホスト機器４６０のホスト制御部４６４とは、クロック線１４１、コマンド／レスポンス線１４２、並びに４本のデータ線１３１、１３２、１４３、１４４（４本のデータ線を使用する場合以外に、１本のデータ線１４３、又は２本のデータ線１４３、１４４を使用する場合があっても良い。）を介し、第１のデータ転送方式によってデータ転送を行う。例えば、メモリ１１８からホスト機器４６０へのデータ転送を行う際に、データ線として使用される。データバス１７０は最大４ビットのバス幅を有する故、大量のデータを高速伝送することができる。
（ｉｉ）スイッチ４２１、４２２、４７１及び４７２が実線側に切り替わっている場合（第２のデータ転送モード）のデータ転送方式（第２のデータ転送方式）を説明する。機能モジュールカード４１０の復調部１１３から、クロック線１３１を介し、ホスト機器４６０のクロック生成部１６６を経由し、デコーダ兼デスクランブラ１６３にＴＳクロックが転送される（クロック生成部１６６からデコーダ兼デスクランブラ１６３に転送される信号は、ＴＳクロックそのものである。）。復調部１１３からデコーダ兼デスクランブラ１６３に直接、データ線１３２を介しＴＳが転送される。第２のデータ転送方式は、ＴＳクロックを使用するシンクロナス方式の通信である。
この場合、カード制御部４１４の通信部４１５とホスト機器４６０のホスト制御部４６４とは、クロック線１４１、コマンド／レスポンス線１４２、並びに１本のデータ線１４３（又は２本のデータ線１４３、１４４）を介し、第１のデータ転送方式によってデータ転送を行う。第２のデータ転送方式を実行している時にも（第２のデータ転送モードにおいても）、並行して第１のデータ転送方式でデータ転送を実行できる。
機能モジュールカード４１０において、チューナ部１１１のＴＳ及びＴＳクロックの出力バッファ（図示しない。）、通信部４１５及びセレクタ４２０は、機能モジュールカード４１０の通信部を構成する。チューナ部１１１のチューナ１１２及び復調部１１３は、放送信号受信部を構成する。
ホスト機器４６０において、デコーダ兼デスクランブラ１６３の入力バッファ（図示しない。）と、クロック生成部１６６の入力バッファ（図示しない。）と、ホスト制御部４６４の通信部４１５との通信インターフェースと、セレクタ４７０とは、ホスト機器４６０の通信部を構成する。デコーダ兼デスクランブラ１６３と入出力部１６５の映像信号及び音声信号の出力インターフェース（図示しない。）と、クロック生成部１６６とは、ホスト機器４６０の放送信号出力部を構成する。
図３及び図５を用い、本発明の実施の形態２の機能モジュールカードの制御方法及びホスト機器の制御方法を説明する。図５は、本発明の実施の形態２のデジタル放送受信方法（機能モジュールカードの制御方法及びホスト機器の制御方法を含む。）において、ユーザがホスト機器４６０に地上波デジタル放送の受信開始を指令してから、セレクタ４２０及び４７０（スイッチ４２１、４２２、４７１及び４７２）が切り替わるまでの機能モジュールカード４１０及びホスト機器４６０の制御方法を示すフローチャートである。ホスト機器４６０及び機能モジュールカード４１０は、電源起動時に、それぞれスイッチ４７１、４７２、４２１及び４２２を破線側に設定する。これにより、電源起動時にホスト機器４６０及び機能モジュールカード４１０は従来のホスト機器及び機能モジュールカードと同一のインターフェース（第１のデータ転送モード）を有し、従来のホスト機器及び機能モジュールカードと完全なインターフェース上の互換性を有する。ユーザは、入出力部１６５に地上波デジタル放送の受信開始指令を入力する。ホスト制御部４６４は、地上波デジタル放送の受信開始指令を入出力部１６５からバスライン１６２を介して受け取る。ステップ５２１でホスト制御部４６４は、コマンド／レスポンス線１４２を介して通信部４１５にカード情報の送信要求指令を送信する。ホスト制御部４６４は、コマンド又はデータを送信時及びレスポンス又はデータを受信時、クロック線１４１からホストクロックを出力する。
機能モジュールカード４１０の通信部４１５は、カード情報の送信要求指令を受信する（ステップ５０１）。カード情報記憶部１１７は、地上波デジタル放送のＴＳのデータ転送方式に関する情報を含む情報（「カード情報」と呼ぶ。）を記憶している。実施の形態２においてカード情報記憶部１１７は、機能モジュールカード４１０が地上波デジタル放送を受信可能であること、地上波デジタル放送のＴＳを第２のデータ転送方式で送信可能であること、及び第１のデータ転送方式でデータ信号を送受信可能であることを含む、機能モジュールカード４１０の機能に関する情報情報を記憶している。通信部４１５は、カード情報をカード情報記憶部１１７から読み出し、ホスト制御部４６４にデータ線１４３、又はデータ線１４３及び１４４、又は４本のデータ線１３１、１３２、１４３及び１４４を介して送信する（ステップ５０２）。ホスト制御部４６４はステップ５２２でカード情報を受信する。ＣＰＵ１６１はステップ５２３で、カード情報に基づき、第２のデータ転送方式によるデータ転送を許可するか否か判断する。
機能モジュールカード４１０が第２のデータ転送方式によるデータ転送機能を有し、且つメモリ１１８がホスト機器４６０との間で大量のデータを転送中でない場合、ＣＰＵ１６１は第２のデータ転送方式によるデータ転送を許可する。ＣＰＵ１６１が第２のデータ転送方式によるデータ転送を許可する場合、ステップ５２３からステップ５２４に進む。ホスト制御部４６４は、第２のデータ転送方式によるＴＳの転送の許可通知を通信部４１５にコマンド／レスポンス線１４２を介して送信する。ＣＰＵ１６１は、セレクタ４７０のスイッチ４７１及び４７２を実線側に切り替える。ステップ５０３で通信部４１５は、第２のデータ転送方式の許可通知を受信する。通信部４１５は、セレクタ４２０のスイッチ４２１及び４２２を実線側に切り替える（ステップ５０４）。通信部４１５は、チューナ部コントローラ１１６にチューナ部１１１の受信開始を指令する。チューナ部コントローラ１１６は、チューナ部１１１の動作を開始させる。チューナ部１１１はＴＳクロック及びＴＳをそれぞれクロック線１３１及びデータ線１３２に出力する。チューナ部１１１は、第２のデータ転送方式でＴＳをホスト機器４６０のデコーダ兼デスクランブラ１６３に伝送する（第２のデータ転送モード）。
機能モジュールカード４１０が第２のデータ転送方式によるデータ転送機能を有さず、又はメモリ１１８がホスト機器４６０との間で大量のデータを急いで転送中である場合、ＣＰＵ１６１は第２のデータ転送方式によるデータ転送を許可しない。ＣＰＵ１６１が、第２のデータ転送方式によるデータ転送を許可しない場合、ステップ５２３からステップ５２６に進む。ＣＰＵ１６１は、セレクタ４７０のスイッチ４７１及びスイッチ４７２を破線側に維持する（ステップ５２６）。ステップ５０３で通信部４１５は、第２のデータ転送方式の許可通知を受信せず、ステップ５０５に進む。ステップ５０５で、セレクタ４２０のスイッチ４２１及び４２２を破線側に維持する。
ホスト機器４６０が第２のデータ転送方式によるＴＳの転送を許可する場合、機能モジュールカード４１０からホスト機器４６０へのＴＳの転送は実施の形態１（図３）と同じ方法で実行される。図３は既に説明した。
ホスト機器４６０が第２のデータ転送方式によるＴＳの転送を許可しない場合、機能モジュールカード４１０からホスト機器４６０へのＴＳの転送は行われない。クロック線１３１及びデータ線１３２は、第１のデータ転送方式のデータ線として使用される。最大４本のデータ線でデータを伝送できることを除いて、実施の形態２の第１のデータ転送方式は、実施の形態１の第１のデータ転送方式と同じである。第１のデータ転送方式で動作するバスは、ＴＳ以外のデータ（例えば、実施の形態２ではメモリ１１８のデータ又はカード情報記憶部１１７のデータ）をホスト機器４６０と機能モジュールカード４１０との間で転送する際に利用される。
なお、実施の形態２において、第１のデータ転送モードにおける４本のデータ線１３１、１３２、１４３及び１４４でのデータ転送（第１のデータ転送方式）と、第２のデータ転送モードにおける１本のデータ線（１４３，１４４の何れか１本）でのデータ転送（第１のデータ転送方式）とは、それぞれ通常のＳＤカードで規定されるデータ転送プロトコル（実施の形態１で既に説明した。）に従って実行される。即ち、第１のデータ転送モードにおける第１のデータ転送方式は４ビットモード、第２のデータ転送モードにおける第１のデータ転送方式は１ビットモードでのデータ転送である。これにより、機能モジュールカード４１０は、本発明のホスト機器４６０のみならず、従来のホスト機器に装着した場合にも、少なくともデジタル放送受信機能以外の機能（例えばメモリ１１８のデータ格納機能）を実行することができる。本発明のホスト機器４６０に、本発明の機能モジュールカード４１０のみならず、従来の機能モジュールカード（ＴＳ及びＴＳクロックを出力できない。）と接続した場合にも、従来の機能モジュールカードの機能を発揮させることができる。
《実施の形態３》
実施の形態１の機能モジュールカード１１０及び実施の形態２の機能モジュールカード４１０を、第２のデータ転送方式によるＴＳの転送が不可能なホスト機器又は、第２のデータ転送方式によるＴＳの転送を許可しないホスト機器と組み合わせて使用する場合、ユーザは地上波デジタル放送を視聴できない。実施の形態３の機能モジュールカードはこの課題を解決するものである。図３、図５及び図６を用いて、本発明の実施の形態３の機能モジュールカード、ホスト機器及びそれらの制御方法を説明する。
図６は、本発明の実施の形態３の機能モジュールカード及びホスト機器を有するデジタル放送受信装置の構成を示す図である。図６において、６１０は機能モジュールカード、４６０はホスト機器である。図６に示すデジタル放送受信装置は、図４に示したデジタル放送受信装置の機能モジュールカード４１０を、機能モジュールカード６１０に置き換えたものである。ホスト機器４６０は、実施の形態２のホスト機器４６０（図４）と同じであるので、説明を省略する。実施の形態３の機能モジュールカード６１０は、実施の形態２の機能モジュールカード４１０（図４参照）のカード制御部４１４、通信部４１５、チューナ部１１１及び復調部１１３を、それぞれカード制御部６１４、通信部６１５、チューナ部６１１及び復調部６１３に置き換えたものである。カード制御部６１４は、ＴＳ受信部６２０、バッファメモリ６２１、バッファコントローラ６２２、通信部６１５、チューナ部コントローラ１１６及びカード情報記憶部１１７を有する。チューナ部６１１は、復調部６１３で生成したＴＳ及びＴＳクロックを、セレクタ４２０とＴＳ受信部６２０とに転送する。その他の構成は実施の形態２の機能モジュールカード４１０と同じであるので、共通の部分には同一の符号を使用し、説明を省略する。
機能モジュールカード６１０とホスト機器４６０とは、バス１７０を介して接続している。バス１７０は、クロック線（又はデータ線）１３１、データ線１３２、クロック線１４１、データ線１４３、１４４及びコマンド／レスポンス線１４２を有する。
機能モジュールカード６１０の通信部６１５とホスト機器４６０とは、ホスト機器４６０のクロック（ホストクロック）により第１のデータ転送方式でデータ転送を実行する。実施の形態３において、カード制御部６１４の通信部６１５とホスト機器４６０のホスト制御部４６４とは、クロック線１４１、コマンド／レスポンス線１４２、並びに１本のデータ線１４３（又は２本のデータ線１４３、１４４、又は４本のデータ線１３１、１３２、１４３、１４４）を介し、第１のデータ転送方式によってデータ転送を行う。
（ｉ）スイッチ４２１、４２２、４７１及び４７２が破線側に切り替わっている場合（第１のデータ転送モード）、機能モジュールカード６１０の復調部６１３からホスト機器４６０のホスト制御部４６４に、後で述べる転送方式によってＴＳが転送される。
機能モジュールカード６１０において、チューナ部１１１のＴＳ及びＴＳクロックの出力バッファ（図示しない。）、通信部６１５及びセレクタ４２０は、機能モジュールカード６１０の通信部を構成する。チューナ部６１１のチューナ１１２及び復調部１１３は、放送信号受信部を構成する。
図３及び図５を用い、本発明の実施の形態３の機能モジュールカードの制御方法及びホスト機器の制御方法を説明する。図５は、本発明の実施の形態３のデジタル放送受信方法（機能モジュールカードの制御方法及びホスト機器の制御方法を含む。）において、ユーザがホスト機器４６０に地上波デジタル放送の受信開始を指令してから、セレクタ４２０及び４７０（スイッチ４２１、４２２、４７１及び４７２）が切り替わるまでの機能モジュールカード４１０及びホスト機器４６０の制御方法を示すフローチャートである。図５は実施の形態２のデジタル放送受信方法と同じであるので、同様の動作の説明は省略する。
ホスト機器４６０が第２のデータ転送方式によるＴＳの転送を許可する場合、機能モジュールカード６１０からホスト機器４６０へのＴＳの転送は実施の形態１及び実施の形態２（図３）と同じ方法で実行される（スイッチ４２１、４２２、４７１及び４７２が実線側に切り替わる。第２のデータ転送モード）。図３は既に説明した。
ホスト機器４６０が第２のデータ転送方式によるＴＳの転送を許可しない場合（第１のデータ転送モード）、機能モジュールカード６１０からホスト機器４６０へのＴＳの転送は、次のように実行される。
ＴＳ受信部６２０は、ＴＳ及びＴＳクロックを復調部６１３から受信し、ＴＳをバッファコントローラ６２２に転送する。バッファコントローラ６２２は、ＴＳを一旦バッファメモリ６２１に蓄える。ホスト制御部４６４は、ホスト機器４６０をマスターとするマスター／スレーブ方式のデータ転送方式によってバッファメモリ６２１に蓄積されたＴＳをホスト制御部４６４に転送する。機能モジュールカード６１０からホスト機器４６０に上記の第１のデータ転送方式で（ホストクロックを同期転送用クロックとして使用する。）ＴＳを送信する。クロック線１３１、データ線１３２、１４３及び１４４の４本の線をＴＳ転送のためのデータ線として使用する。バッファコントローラ６２２は、ホスト制御部４６４から、コマンド／レスポンス線１４２及び通信部６１５を介して送信されるＴＳ転送指令に基づいて、バッファメモリからＴＳを読み込み、送信する。
ホスト制御部４６４は、ＴＳを受信し、ＣＰＵ１６１の指令に従って、ＴＳをデコーダ兼デスクランブラ１６３に転送する。デコーダ兼デスクランブラ１６３は、ＴＳパケットをデコード及びデスクランブルし、映像信号及び音声信号を入出力部１６５に転送する。入出力部１６５は映像信号及び音声信号を出力する。なお、第１のデータ転送方式で、ＴＳが機能モジュールカード６１０からホスト機器４６０に転送される場合、入出力部１６５は、ホストクロックのタイミングで映像信号及び音声信号を出力する。
ＣＰＵ１６１は、ＴＳクロックの時間間隔又は一定時間当たりのＴＳクロック数を、バッファメモリ６２１に蓄積されているＴＳの変化量に基づいて監視する。ＴＳクロックの時間間隔が長くなった場合又は一定時間当たりのＴＳクロック数が減った場合は、デコーダ兼デスクランブラ１６３に、入出力部１６５への映像信号及び音声信号の出力速度を遅くする指示を出す。ＴＳクロックの時間間隔が短くなった場合又は一定時間当たりのＴＳクロック数が増えた場合は、デコーダ兼デスクランブラ１６３に、入出力部１６５への映像信号及び音声信号の出力速度を速くする指示を出す。これにより、ホスト機器４６０が第２のデータ転送方式によるＴＳの転送を許可しない場合にも、機能モジュールカード６１０からホスト機器４６０へＴＳを送信することができる。第２のデータ転送方式によるＴＳ伝送ほど映像信号及び音声信号の出力クロックが正確ではないが、画面（又は音声）のブラックアウト、フリーズ又はスキップを生じることなく、映像信号及び音声信号を出力できる。
実施の形態３のホスト機器４６０はセレクタ４７０を有し、スイッチ４７１及びスイッチ４７２の切り替えによってＴＳのデータ転送方式を選択できるようになっているが、１つの転送方式にのみ対応しているホスト機器であっても良い。このような場合でも、機能モジュールカード６１０はセレクタ４２０のスイッチ４２１及び４２２を切り替え、ホスト機器に指定されたデータ転送方式（第１のデータ転送方式又は第２のデータ転送方式）でＴＳを転送できる。
スイッチ４２１、４２２、４７１及び４７２が破線側に切り替わっている場合（第１のデータ転送モード）、ＣＰＵ１６１からの指令に基づいて、チューナ部６１１がＴＳ及びＴＳクロックを出力しないようにすることもできる。チューナ部６１１がＴＳ及びＴＳクロックを出力しない場合の機能モジュールカード６１０及びホスト機器４６０の動作は、実施の形態２の第１のデータ転送モードにおける機能モジュールカード４１０及びホスト機器４６０の動作と同一である。その説明を省略する。
上記の実施の形態において、機能モジュールカード１１０、４１０、又は６１０に入力する信号は、ＢＳデジタル放送及びＣＳデジタル放送のデジタル放送信号であっても良い。
実施の形態３によれば、ホスト機器が第１のデータ転送方式と第２のデータ転送方式とのいずれのデータ転送方式に対応している場合でも、チャンネル設定などの操作機能（第１の転送方式）とＴＳの転送（第１又は第２の転送方式）とを両立できるデジタル放送受信装置、その構成要素である機能モジュールカード及び安価なホスト機器を実現するという有利な効果が得られる。
上記の実施の形態では、復調部６１３からデコーダ兼デスクランブラ１６３にＴＳクロックを、クロック生成部１６６を経由して転送した。これに代えて、復調部６１３からＴＳクロックを、クロック生成部１６６を経由せずに、デコーダ兼デスクランブラ１６３に転送しても良い。
上記の実施の形態のスクランブルに代えて、デジタル放送信号を暗号化しても良い。この場合、機能モジュールカードがチューナ部を有し、ホスト機器がデコーダ及び暗号の復号化部を有する。機能モジュールカードがデコーダを有していても良い。
なお、上記の実施の形態のトランスポートストリームに代えて、デコード後又はデスクランブル後のデータ信号（デジタル放送信号のデータ信号）であっても良い。この場合、機能モジュールカードがデコーダ又はデコーダ兼デスクランブラを有する。
本発明の機能モジュールカード及びホスト機器を有するデジタル放送受信装置は、ホスト機器と機能モジュールカードとに、デスクランブラとチューナ部とを分離して搭載する。機能モジュールカードは、ＴＳの同期信号から生成したクロック（ＴＳクロック）とＴＳとを、バスへ直接出力することができる。
本発明によれば、デジタル放送受信機能を有する機能モジュールカードをオプションユニットとしてホスト機器に取り付け可能なデジタル放送受信装置、その構成要素である機能モジュールカード及び安価なホスト機器を実現するという有利な効果が得られる。
本発明によれば、汎用のインターフェースと、デジタル放送信号受信機能とを有し、正しいクロックでデジタル放送信号をホスト機器に転送する機能モジュールカード、それに対応するホスト機器及びそれらの制御方法を実現するという有利な効果が得られる。
本発明によれば、機能モジュールカードからホスト機器にＴＳを送信中にも、通常のデータ転送方式によるデータ転送が可能な機能モジュールカード、それに対応するホスト機器及びそれらの制御方法を実現するという有利な効果が得られる。
機能モジュールカードは、ＴＳをホスト機器に転送する際、ホスト機器のクロックに同期した第１の転送方式とＴＳの同期信号から生成したクロックに同期した第２の転送方式とから、ホスト機器が指定した転送方式を選択する。従って、ホスト機器がいずれの転送方式に対応している場合でも、チャンネル設定などの機能（第１の転送方式）とＴＳの転送（第１又は第２の転送方式）とを両立できるデジタル放送受信装置、その構成要素である機能モジュールカード及び安価なホスト機器を実現するという有利な効果が得られる。
本発明によれば、デジタル放送受信機能を有し、ホスト機器にオプションユニットとして取り付け可能であり、放送局に対価を支払ったユーザのホスト機器に装着しなければ、デジタル放送を正常に出力できない機能モジュールカード、それに対応する安価なホスト機器及びそれらの制御方法を実現するという有利な効果が得られる。機能拡張性が高く、デジタルコンテンツの著作権保護が可能な安価なホスト機器、それに対応する機能モジュールカード及びそれらの制御方法を実現するという有利な効果が得られる。
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【産業上の利用可能性】  本発明の機能モジュールカード、ホスト機器及びそれらの制御方法は、例えば、デジタル放送受信装置を構成する機能モジュールカード、ホスト機器及びそれらの制御方法として有用である。
【図１】
2004105387.tif 000003
【図２】
2004105387.tif 000004
【図３】
2004105387.tif 000005
【図４】
2004105387.tif 000006
【図５】
2004105387.tif 000007
【図６】
2004105387.tif 000008
【手続補正書】
【提出日】平成16年10月19日(2004.10.19)
【手続補正００１】
【補正対象書類名】特許請求の範囲
【補正対象項目名】特許請求の範囲
【補正方法】変更
【補正の内容】
【請求項１】複数の接続線を介してホスト機器との間で通信する通信部と、
デジタル放送信号を受信し、前記デジタル放送信号のデータ信号と前記データ信号転送用のクロックとを生成する放送信号受信部と、
を有し、
前記通信部は、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に送信する第２のデータ転送モードと、
を有することを特徴とする機能モジュールカード。
【請求項２】前記データ信号がトランスポートストリームであることを特徴とする請求項１に記載の機能モジュールカード。
【請求項３】前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送することを特徴とする請求項１又は請求項２に記載の機能モジュールカード。
【請求項４】起動時に、前記通信部は前記第１のデータ転送モードで前記ホスト機器と通信を開始し、前記ホスト機器から前記第２のデータ転送モードに切り替える指令を受信した場合に、前記通信部は前記第２のデータ転送モードに切り替えて前記ホスト機器と通信することを特徴とする請求項１又は請求項２に記載の機能モジュールカード。
【請求項５】前記放送信号受信部が受信した前記データ信号を格納するバッファメモリを更に有し、
前記通信部は、前記ホスト機器からの指令に応じて選択的に、前記放送信号受信部が受信した前記データ信号を前記第２のデータ転送モードで前記ホスト機器に送信し、又は前記バッファメモリに格納し、格納したバッファメモリから読み出した前記データ信号を、前記第１のデータ転送モードで前記ホスト機器に送信する、ことを特徴とする請求項１又は請求項２に記載の機能モジュールカード。
【請求項６】前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１又は請求項２に記載の機能モジュールカード。
【請求項７】複数の接続線を介して機能モジュールカードとの間で通信する通信部と、
前記機能モジュールカードから伝送されたデジタル放送信号のデータ信号と前記データ信号転送用のクロックとを入力し、所定の処理を行って出力する放送信号出力部と、
を有し、
前記通信部は、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、
を有することを特徴とするホスト機器。
【請求項８】前記データ信号がトランスポートストリームであることを特徴とする請求項７に記載のホスト機器。
【請求項９】前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記機能モジュールカードとの間でデータを転送することを特徴とする請求項７又は請求項８に記載のホスト機器。
【請求項１０】起動時に、前記通信部は前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記通信部は前記第２のデータ転送モードに切り替えて前記機能モジュールカードと通信することを特徴とする請求項７又は請求項８に記載のホスト機器。
【請求項１１】前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項７又は請求項８に記載のホスト機器。
【請求項１２】（削除）
【請求項１３】複数の接続線を介してホスト機器との間で通信する通信ステップと、
デジタル放送信号を受信し、前記デジタル放送信号のデータ信号と前記データ信号転送用のクロックとを生成する放送信号受信ステップと、
を有し、
前記通信ステップは、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に転送する第２のデータ転送モードと、
を有することを特徴とする機能モジュールカードの制御方法。
【請求項１４】前記データ信号がトランスポートストリームであることを特徴とする請求項１３に記載の機能モジュールカードの制御方法。
【請求項１５】前記通信ステップは更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送することを特徴とする請求項１３又は請求項１４に記載の機能モジュールカードの制御方法。
【請求項１６】起動時に、前記通信ステップにおいて、前記第１のデータ転送モードで前記ホスト機器と通信を開始し、前記ホスト機器から前記第２のデータ転送モードに切り替える指令を受信した場合に、前記第２のデータ転送モードに切り替えて前記ホスト機器と通信することを特徴とする請求項１３又は請求項１４に記載の機能モジュールカードの制御方法。
【請求項１７】前記通信ステップにおいて、前記ホスト機器からの指令に応じて選択的に、前記放送信号受信部が受信した前記データ信号を前記第２のデータ転送モード又は前記第１のデータ転送モードで前記ホスト機器に送信することを特徴とする請求項１３又は請求項１４に記載の機能モジュールカードの制御方法。
【請求項１８】前記通信ステップの前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１３又は請求項１４に記載の機能モジュールカードの制御方法。
【請求項１９】複数の接続線を介して機能モジュールカードとの間で通信する通信ステップと、
前記機能モジュールカードから伝送されたデジタル放送信号のデータ信号と前記データ信号転送用のクロックとを入力し、所定の処理を行って出力する放送信号出力ステップと、
を有し、
前記通信ステップは、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、
を有することを特徴とするホスト機器の制御方法。
【請求項２０】前記データ信号がトランスポートストリームであることを特徴とする、請求項１９に記載のホスト機器の制御方法。
【請求項２１】前記通信ステップは更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用いて、かつ前記第１のデータ転送モードの転送プロトコルと同じ転送プロトコルを使用して、前記機能モジュールカードとの間でデータを転送することを特徴とする請求項１９又は請求項２０に記載のホスト機器の制御方法。
【請求項２２】起動時に、前記通信ステップにおいて、前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記第２のデータ転送モードに切り替えて前記機能モジュールカードと通信することを特徴とする請求項１９又は請求項２０に記載のホスト機器の制御方法。
【請求項２３】前記通信ステップの前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１９又は請求項２０に記載のホスト機器の制御方法。
【請求項２４】（削除）




【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
複数の接続線を介してホスト機器との間で通信する通信部と、
デジタル放送信号を受信し、前記デジタル放送信号のデータ信号と前記データ信号転送用のクロックとを生成する放送信号受信部と、
を有し、
前記通信部は、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に送信する第２のデータ転送モードと、
を有することを特徴とする機能モジュールカード。
【請求項２】
前記データ信号がトランスポートストリームであることを特徴とする請求項１に記載の機能モジュールカード。
【請求項３】
前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送することを特徴とする請求項１又は請求項２に記載の機能モジュールカード。
【請求項４】
起動時に、前記通信部は前記第１のデータ転送モードで前記ホスト機器と通信を開始し、前記ホスト機器から前記第２のデータ転送モードに切り替える指令を受信した場合に、前記通信部は前記第２のデータ転送モードに切り替えて前記ホスト機器と通信することを特徴とする請求項１又は請求項２に記載の機能モジュールカード。
【請求項５】
前記放送信号受信部が受信した前記データ信号を格納するバッファメモリを更に有し、
前記通信部は、前記ホスト機器からの指令に応じて選択的に、前記放送信号受信部が受信した前記データ信号を前記第２のデータ転送モードで前記ホスト機器に送信し、又は前記バッファメモリに格納し、格納したバッファメモリから読み出した前記データ信号を、前記第１のデータ転送モードで前記ホスト機器に送信する、ことを特徴とする請求項１又は請求項２に記載の機能モジュールカード。
【請求項６】
前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１又は請求項２に記載の機能モジュールカード。
【請求項７】
複数の接続線を介して機能モジュールカードとの間で通信する通信部と、
前記機能モジュールカードから伝送されたデジタル放送信号のデータ信号と前記データ信号転送用のクロックとを入力し、所定の処理を行って出力する放送信号出力部と、
を有し、
前記通信部は、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、
を有することを特徴とするホスト機器。
【請求項８】
前記データ信号がトランスポートストリームであることを特徴とする請求項７に記載のホスト機器。
【請求項９】
前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記機能モジュールカードとの間でデータを転送することを特徴とする請求項７又は請求項８に記載のホスト機器。
【請求項１０】
起動時に、前記通信部は前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記通信部は前記第２のデータ転送モードに切り替えて前記機能モジュールカードと通信することを特徴とする請求項７又は請求項８に記載のホスト機器。
【請求項１１】
前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項７又は請求項８に記載のホスト機器。
【請求項１２】
複数の接続線を介してホスト機器との間で通信する通信ステップと、
デジタル放送信号を受信し、前記デジタル放送信号のデータ信号と前記データ信号転送用のクロックとを生成する放送信号受信ステップと、
を有し、
前記通信ステップは、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に転送する第２のデータ転送モードと、
を有することを特徴とする機能モジュールカードの制御方法。
【請求項１３】
前記データ信号がトランスポートストリームであることを特徴とする請求項１２に記載の機能モジュールカードの制御方法。
【請求項１４】
前記通信ステップは更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送することを特徴とする請求項１２又は請求項１３に記載の機能モジュールカードの制御方法。
【請求項１５】
起動時に、前記通信ステップにおいて、前記第１のデータ転送モードで前記ホスト機器と通信を開始し、前記ホスト機器から前記第２のデータ転送モードに切り替える指令を受信した場合に、前記第２のデータ転送モードに切り替えて前記ホスト機器と通信することを特徴とする請求項１２又は請求項１３に記載の機能モジュールカードの制御方法。
【請求項１６】
前記通信ステップにおいて、前記ホスト機器からの指令に応じて選択的に、前記放送信号受信ステップにおいて受信された前記データ信号を前記第２のデータ転送モード又は前記第１のデータ転送モードで前記ホスト機器に送信することを特徴とする請求項１２又は請求項１３に記載の機能モジュールカードの制御方法。
【請求項１７】
前記通信ステップの前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１２又は請求項１３に記載の機能モジュールカードの制御方法。
【請求項１８】
複数の接続線を介して機能モジュールカードとの間で通信する通信ステップと、
前記機能モジュールカードから伝送されたデジタル放送信号のデータ信号と前記データ信号転送用のクロックとを入力し、所定の処理を行って出力する放送信号出力ステップと、
を有し、
前記通信ステップは、
複数の前記接続線をデータバスとしてデータを転送する第１のデータ転送モードと、
前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、
を有することを特徴とするホスト機器の制御方法。
【請求項１９】
前記データ信号がトランスポートストリームであることを特徴とする、請求項１８に記載のホスト機器の制御方法。
【請求項２０】
前記通信ステップは更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用いて、かつ前記第１のデータ転送モードの転送プロトコルと同じ転送プロトコルを使用して、前記機能モジュールカードとの間でデータを転送することを特徴とする請求項１８又は請求項１９に記載のホスト機器の制御方法。
【請求項２１】
起動時に、前記通信ステップにおいて、前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記第２のデータ転送モードに切り替えて前記機能モジュールカードと通信することを特徴とする請求項１８又は請求項１９に記載のホスト機器の制御方法。
【請求項２２】
前記通信ステップの前記第１のデータ転送モードにおいて、前記ホスト機器をマスターとし、機能モジュールカードをスレーブとするマスター／スレーブ方式の通信により、複数の前記接続線をデータバスとしてデータを転送することを特徴とする請求項１８又は請求項１９に記載のホスト機器の制御方法。
【手続補正２】
【補正対象書類名】明細書
【補正対象項目名】全文
【補正方法】変更
【補正の内容】
【発明の詳細な説明】
【技術分野】
【０００１】
本発明は、機能モジュールカード、ホスト機器及びそれらの制御方法に関する。
【背景技術】
【０００２】
近年、地上波デジタル放送が開始された。これに応じて、様々なデジタル放送受信装置及びデジタル放送受信方法が提案されている（例えば、特許文献１−５を参照）。
【０００３】
デジタル放送受信装置において、デジタル放送受信機能モジュールは高価である。従って、デジタル放送受信機能モジュールを内蔵している高価な機器よりも、デジタル放送受信機能モジュールをオプションユニットとして取り付け可能であり機器本体としては安価な機器の方が、ユーザにとって魅力的である場合が多い。本発明は、デジタル放送受信機能を有する機能モジュールカード、その機能モジュールカードをオプションユニットとして取り付け可能な安価なホスト機器を実現する。
【０００４】
【特許文献１】特開２００２−３００１２８号公報。
【特許文献２】特開２００２−２１８３４１号公報。
【特許文献３】特開２００２−１３５８０８号公報。
【特許文献４】特開２００１−１９７０２５号公報。
【特許文献５】特許第３３８９８４３号公報。
【発明の開示】
【発明が解決しようとする課題】
【０００５】
このような機能モジュールカード及びホスト機器を実現するに当たり、以下の２つの課題が生じる。
【０００６】
（ｉ）第１の課題
汎用性の高いインターフェースを有する機能モジュールカードに、デジタル放送受信機能を搭載することができれば、ユーザにとってホスト機器及びオプションを選択する範囲が非常に広がるので魅力的である。また、汎用性の高いインターフェースを有する機能モジュールカードがデジタル放送受信機能と、他の機能とを合わせて持っていれば、その機能モジュールカードは更にユーザにとって魅力的である。逆に、デジタル放送受信機能を有する機能モジュールカードが専用のインターフェースでしかホスト機器と接続できないのであれば、特定のホスト機器にしかその機能モジュールカードを取り付けることができず、またホスト機器には特定の機能モジュールカードしか取り付けることができない。従ってホスト機器と機能モジュールカードとの組み合わせのバリエーションは非常に限定されたものになる。そのような機能モジュールカードは高価になり易く、またホスト機器及びオプションを選択する範囲が限られることは、それらの商品をユーザにとって魅力の無いものにする。
【０００７】
しかし、一般に汎用の機能モジュールカードは、ホスト機器をマスターとし、機能モジュールカードをスレーブとするマスター／スレーブ方式の通信（ホスト機器が通信クロックを定める。）によりホスト機器と通信するものが多い。一方、時間軸上で連続するデジタル放送信号は、基本的にデジタル放送信号から生成されるクロックで処理し出力する必要がある。そうしなければ、無信号区間が発生したり（画面（又は音声）のブラックアウト又はフリーズ）、信号を出力できないで放棄する場合（画面又は音声のスキップ）が発生する可能性があるからである。両者即ち汎用の機能モジュールカードの通信クロックとデジタル放送信号から生成されるクロックの制御方法は全く異なる。従って従来の汎用のインターフェースを有する機能モジュールカードに、デジタル放送信号受信機能を搭載しても、正しいクロックでデジタル放送信号をホスト機器に転送することができないという第１の課題が生じる。
【０００８】
本発明は、汎用のインターフェースと、デジタル放送信号受信機能とを有し、正しいクロックでデジタル放送信号をホスト機器に転送する機能モジュールカード、それに対応するホスト機器及びそれらの制御方法を提供することを目的とする。
【０００９】
（ｉｉ）第２の課題
有料デジタル放送において、放送局は、スクランブルし又は暗号化したデジタル放送信号を送信し、対価を支払ったユーザが有する機器にそのデスクランブル又は暗号の復号化に必要な情報をロードする。これにより、対価を支払ったユーザのみがデジタル放送を視聴できるようにしている。しかし、機能モジュールカードがデジタル放送受信機能を有すると、１つの機能モジュールカードを複数のユーザが使い回すことにより、一人のユーザが放送局に対価を支払うだけで、複数のユーザが不法にデジタル放送を視聴できることになる。即ち、放送局から送信されるデジタルコンテンツの著作権を保護できないという、第２の課題が生じる。
【００１０】
本発明は、デジタル放送受信機能を有し、ホスト機器にオプションユニットとして取り付け可能であり、放送されるデジタルコンテンツの著作権を保護できる機能モジュールカード、それに対応する安価なホスト機器及びそれらの制御方法を提供することを目的とする。
【課題を解決するための手段】
【００１１】
上記課題を解決するため、本発明は以下の構成を有する。本発明の１つの観点による機能モジュールカードは、複数の接続線を介してホスト機器との間で通信する通信部と、デジタル放送信号を受信し、前記デジタル放送信号のデータ信号と前記データ信号転送用のクロックとを生成する放送信号受信部と、を有し、前記通信部は、複数の前記接続線をデータバスとしてデータを転送する第１のデータ転送モードと、前記第１のデータ転送モードにおいてデータを転送する複数の前記接続線のうち、１本の前記接続線で前記データ信号転送用のクロックを、少なくとも１本の他の前記接続線で前記データ信号を、それぞれ前記ホスト機器に送信する第２のデータ転送モードと、を有する。
【００１２】
本発明は、オプションユニットとしてホスト機器に任意に取り付け可能であり、ホスト機器本体が安価であるシステム（デジタル放送受信装置）を構成する機能モジュールカードを実現する。
【００１３】
本発明は、汎用のインターフェースと、デジタル放送信号受信機能とを有し、正しいクロックでデジタル放送信号をホスト機器に転送する機能モジュールカードを実現する。本発明は、通常のデータ転送とデジタル放送信号の転送とをホスト機器との間で実行可能な機能モジュールカードを実現する。本発明により、ホスト機器は映像信号及び／又は音声信号を正しく再生できる。ホスト機器からチャンネル設定指令を通常のデータ転送機能を利用して機能モジュールカードに送信することにより、例えばホスト機器から機能モジュールカードのチューナ部（放送信号受信部に含まれる。）のチャンネル設定等の操作を行える。
【００１４】
機能モジュールカードに入力する信号は、地上波デジタル放送、ＢＳデジタル放送及びＣＳデジタル放送等のデジタル放送信号である。
【００１５】
本発明の別の観点による上記の機能モジュールカードにおいては、前記データ信号がトランスポートストリームである。
【００１６】
本発明の別の観点による上記の機能モジュールカードは、前記通信部は更に、前記第２のデータ転送モードにおいて、第１のデータ転送モードにおけるデータバスラインとして使用される複数の前記接続線のうち、前記第２のデータ転送モードにおける前記データ信号転送用のクロック及び前記データ信号を転送する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記ホスト機器との間でデータを転送する。
【００１７】
本発明は、更に、デジタル放送信号をホスト機器に送信しているモードにおいても、通常のデータ転送が可能な機能モジュールカードを実現する。
【００１８】
本発明の別の観点による上記の機能モジュールカードにおいて、起動時に、前記通信部は前記第１のデータ転送モードで前記ホスト機器と通信を開始し、前記ホスト機器から前記第２のデータ転送モードに切り替える指令を受信した場合に、前記通信部は前記第２のデータ転送モードに切り替えて前記ホスト機器と通信する。
【００１９】
本発明は、デジタル放送信号受信機能を有する本発明の機能モジュールカードに対応するホスト機器との間で通常のデータ転送とデジタル放送信号の転送とを実行し、本発明の機能モジュールカードに対応していないホスト機器との間で通常のデータ転送を適切に実行する機能モジュールカードを実現する。
【００２０】
本発明の別の観点による上記の機能モジュールカードは、前記放送信号受信部が受信した前記データ信号を格納するバッファメモリを更に有し、前記通信部は、前記ホスト機器からの指令に応じて選択的に、前記放送信号受信部が受信した前記データ信号を前記第２のデータ転送モードで前記ホスト機器に送信し、又は前記バッファメモリに格納し、格納したバッファメモリから読み出した前記データ信号を、前記第１のデータ転送モードで前記ホスト機器に送信する。
【００２１】
本発明は、更に、通常のデータ転送によってもデジタル放送信号を転送可能な機能モジュールカードを実現する。
【００２２】
例えばホスト機器は、トランスポートストリームを転送するためのクロックの時間間隔に応じて、モニタへの画像データの出力速度を調整する。
【００２３】
本発明の別の観点による上記の機能モジュールカードは、前記第１のデータ転送モードにおいて、前記ホスト機器をマスターとし、機能モジュールカードをスレーブとするマスター／スレーブ方式の通信により、複数の前記接続線をデータバスとしてデータを転送する。
【００２４】
本発明は、汎用のマスター／スレーブ方式の通信を行うインターフェースと、デジタル放送信号受信機能とを有し、正しいクロックでデジタル放送信号をホスト機器に転送する機能モジュールカードを実現する。
【００２５】
本発明の１つの観点によるホスト機器は、複数の接続線を介して機能モジュールカードとの間で通信する通信部と、前記機能モジュールカードから伝送されたデジタル放送信号のデータ信号と前記データ信号転送用のクロックとを入力し、所定の処理を行って出力する放送信号出力部と、を有し、前記通信部は、複数の前記接続線をデータバスとしてデータを転送する第１のデータ転送モードと、前記第１のデータ転送モードにおいてデータを転送する複数の前記接続線のうち、１本の前記接続線で前記データ信号転送用のクロックを、少なくとも１本の他の前記接続線で前記データ信号を、それぞれ前記機能モジュールカードから入力する第２のデータ転送モードと、を有する。
【００２６】
本発明は、デジタル放送受信機能を有する機能モジュールカードをオプションユニットとして取り付け可能な、安価なホスト機器を実現する。本発明により、ホスト機器は映像信号及び／又は音声信号を正しく再生できる。ホスト機器からチャンネル設定指令を通常のデータ転送機能を利用して機能モジュールカードに送信することにより、例えばホスト機器から機能モジュールカードのチューナ部のチャンネル設定等の操作を行える。
【００２７】
本発明は、汎用のインターフェースを有し、本発明の機能モジュールカードから正しいクロックでデジタル放送信号を受信するホスト機器を実現する。本発明は、通常のデータ転送とデジタル放送信号の受信とを本発明の機能モジュールカードとの間で実行可能なホスト機器を実現する。
【００２８】
本発明の別の観点による上記のホスト機器においては、前記データ信号がトランスポートストリームである。
【００２９】
本発明の別の観点による上記のホスト機器においては、前記通信部は更に、前記第２のデータ転送モードにおいて、第１のデータ転送モードにおけるデータバスとして使用される複数の前記接続線のうち、前記第２のデータ転送モードにおける前記データ信号転送用のクロック及び前記データ信号を入力する複数の前記接続線以外の前記接続線を用いて、前記第１のデータ転送モードよりも線の本数が少ないデータバスを用い、かつ前記第１のデータ転送モードの転送プロトコルと同じ転送プロトコルを使用して、前記機能モジュールカードとの間でデータを転送する。
【００３０】
本発明は、更に、機能モジュールカードからデジタル放送信号を受信しているモードにおいても、同時に通常のデータ転送が可能なホスト機器を実現する。
【００３１】
本発明の別の観点による上記のホスト機器においては、起動時に、前記通信部は前記第１のデータ転送モードで前記機能モジュールカードと通信を開始し、前記機能モジュールカードがデジタル放送信号を受信し、前記デジタル放送信号のデータ信号と前記データ信号転送用のクロックとを生成する場合は、前記第２のデータ転送モードに切り替える指令を前記機能モジュールカードに送信し、前記通信部は前記第２のデータ転送モードに切り替えて前記機能モジュールカードと通信する。
【００３２】
本発明は、本発明の機能モジュールカードから正しいクロックでデジタル放送信号を受信するホスト機器を実現する。
【００３３】
「前記機能モジュールカードと通信を開始し、前記機能モジュールカードがデジタル放送信号を受信し、前記デジタル放送信号のデータ信号と前記データ信号転送用のクロックとを生成する」か否かは、典型的にはホスト機器が機能モジュールカードから入力した機能モジュールカードの識別情報又は機能モジュールカードの機能の情報に基づいて判断する。
【００３４】
本発明の別の観点による上記のホスト機器は、前記第１のデータ転送モードにおいて、前記ホスト機器をマスターとし、機能モジュールカードをスレーブとするマスター／スレーブ方式の通信により、複数の前記接続線をデータバスとしてデータを転送する。
【００３５】
本発明は、汎用のマスター／スレーブ方式の通信を行うインターフェースを有し、本発明の機能モジュールカードから正しいクロックでデジタル放送信号を受信するホスト機器を実現する。
【００３６】
本発明の１つの観点による上記のホスト機器は、機能モジュールカードと接続し、前記機能モジュールカードからデジタル放送信号のトランスポートストリームを受信する通信部と、前記通信部で受信した、スクランブルされたデジタル放送信号のトランスポートストリームをデスクランブルし、又は暗号化されたデジタル放送信号のトランスポートストリームを復号化し、出力する放送信号出力部と、を有する。
【００３７】
本発明は、デジタル放送受信機能を有する機能モジュールカードをオプションユニットとして任意に取り付け可能であり、ユーザが放送局に対価を支払っている場合に限り、機能モジュールカードから入力したデジタル放送を正常に出力するホスト機器を実現する。
【００３８】
デジタル放送受信装置の機能を、ホスト機器と機能モジュールカードに分割して搭載するので、安価なホスト機器を実現できる。放送されたデジタルコンテンツの著作権を保護できる。
【００３９】
本発明は、上記と同様の作用及び効果を有する機能モジュールカードの制御方法、及びホスト機器の制御方法を実現する。
【発明の効果】
【００４０】
本発明の機能モジュールカード及びホスト機器によれば、機能モジュールカードからホスト機器にデジタル放送信号を転送し、且つ両者の間で通常のデータ転送を実行するデジタル放送受信装置を実現できる。更に、デジタル放送受信機能を有する機能モジュールカードをオプションユニットとしてホスト機器に任意に取り付け可能であり、放送されるデジタルコンテンツの著作権を保護できるデジタル放送受信装置を実現できる。
【００４１】
発明の新規な特徴は添付の請求の範囲に特に記載したものに他ならないが、構成及び内容の双方に関して本発明は、他の目的や特徴と共に、図面と共同して理解されるところの以下の詳細な説明から、より良く理解され評価されるであろう。
【００４２】
図面の一部又は全部は、図示を目的とした概要的表現により描かれており、必ずしもそこに示された要素の実際の相対的大きさや位置を忠実に描写しているとは限らないことは考慮願いたい。
【発明を実施するための最良の形態】
【００４３】
以下本発明の実施をするための最良の形態を具体的に示した実施の形態について、図面とともに記載する。
【００４４】
《実施の形態１》
図１〜図３を用いて、本発明の実施の形態１の機能モジュールカード、ホスト機器及びそれらの制御方法を説明する。
【００４５】
図１は、本発明の実施の形態１の機能モジュールカード及びホスト機器を有するデジタル放送受信装置の構成を示す図である。図１において、１１０は機能モジュールカード、１６０はホスト機器である。機能モジュールカード１１０は、地上波デジタル放送信号を受信し、チューナ１１２で選択されたチャンネルの放送信号（映像信号及び音声信号を含む。）のトランスポートストリーム（以下、「ＴＳ」と言う。）をホスト機器１６０に転送する。ホスト機器１６０は入力したＴＳをデコード及びデスクランブルし、地上波デジタル放送の映像信号及び音声信号を出力する。
【００４６】
機能モジュールカード１１０は、アンテナ１５０、チューナ部１１１、カード制御部１１４、メモリ１１８を有する。チューナ部１１１は、チューナ１１２及び復調部１１３を有する。カード制御部１１４は、通信部１１５、チューナ部コントローラ１１６及びカード情報記憶部１１７を有する。ホスト機器１６０は、ＣＰＵ（Central Processing Unit）１６１、バスライン１６２、デコーダ兼デスクランブラ１６３、ホスト制御部１６４、入出力部１６５及びクロック生成部１６６を有する。
【００４７】
ホスト機器１６０は、機能モジュールカード１１０を装着可能なカードスロット（図示しない。）を有する。ホスト機器１６０のカードスロットに設けられたコネクタ（図示しない。）は、カードスロットに装着された機能モジュールカード１１０のコネクタ（図示しない。）と接続される。このコネクタを通じて、ホスト機器１６０は、機能モジュールカード１１０に電力及び制御コマンド、データ等を出力し、機能モジュールカード１１０が出力する動画の映像信号及び音声信号、データ等を入力する。ホスト機器１６０はＰＤＡ（Personal Digital Assistants）である。ホスト機器１６０は他の機器（例えばノートパソコン、携帯電話）であっても良い。
【００４８】
ホスト機器１６０は、そのカードスロット（その中のコネクタを含む。）に、機能モジュールカード１１０の他、種々の機能モジュールカード（メモリ機能のみを有する機能モジュールカード、メモリ機能と他の機能（例えば無線通信機能）を有する機能モジュールカード等）を装着し、動作させることができる。
【００４９】
実施の形態１では、機能モジュールカード１１０はＳＤカード（登録商標）である。機能モジュールカード１１０は、任意の汎用の機能モジュールカード、例えばＳＤカード、ＩＣカード、メモリースティック（登録商標）である。ホスト機器１６０に機能モジュールカード１１０を装着することにより、ホスト機器１６０に、機能モジュールカード１１０に搭載された機能を付加できる。実施の形態１では、機能モジュールカード１１０は、地上波デジタル放送信号を受信する機能とメモリ機能とを有し、それらの機能をホスト機器１６０に付加する。
【００５０】
ホスト機器１６０の入出力部１６５は、外部からコマンドを受信する。例えば、ユーザが地上波デジタル放送の受信開始指令、受信チャンネルの指定指令などの指令を、ホスト機器１６０に入出力部１６５（操作部を含む。）を介して入力する。更に入出力部１６５は、接続した外部機器である又は内蔵するディスプレイ及びスピーカに映像信号及び音声信号を出力する。入出力部１６５が、映像信号及び音声信号を出力する方法については、後述する。
【００５１】
ＣＰＵ１６１は、ホスト機器１６０内部の動作を制御する（ＰＤＡとしての動作及びデコーダ兼デスクランブラ１６３等の動作を制御することを含む。）と共に、機能モジュールカード１１０にその動作を指示し、ホスト制御部１６４と通信部１１５との間の通信を制御する。
【００５２】
ホスト機器１６０は、内部で生成し、又は入出力部１６５を通じて外部から入力したデータを、機能モジュールカード１１０のメモリ１１８に記憶させ、又はメモリ１１８から読み出したデータを処理し、出力することができる。
【００５３】
機能モジュールカード１１０とホスト機器１６０とは、バス１７０を介して接続している。バス１７０は、チューナ部１１１とクロック生成部１６６及びデコーダ兼デスクランブラ１６３との間の通信を実行するためのクロック線１３１及びデータ線１３２と、ホスト制御部１６４と通信部１１５との間の通信を実行するためのクロック線１４１、データ線１４３、１４４、及びコマンド／レスポンス線１４２と、を有する。ホスト機器１６０から機能モジュールカード１１０に電源を供給する電源線及びグラウンド線が、両者の接続線に含まれる（図示しない。）。機能モジュールカード１１０は、ホスト機器１６０から電力を供給されて動作する。
【００５４】
ホスト制御部１６４と通信部１１５とは、クロック線１４１、データ線１４３、１４４及びコマンド／レスポンス線１４２で接続され、ホスト機器１６０をマスターとし機能モジュールカード１１０をスレーブとするマスター／スレーブ方式の通信を行う（以下、「第１のデータ転送方式」と言う）。第１のデータ転送方式は、ホスト制御部１６４が出力するクロック（以下、「ホストクロック」と言う。クロック線１４１で伝送される。）によってコマンド及びレスポンス（コマンド／レスポンス線１４２で伝送される。）と、データ（データの種類に応じて、コマンド／レスポンス線１４２で伝送され、又はデータ線１４３及び１４４で伝送される。）と、を双方向に伝送するシンクロナス方式の通信である。ホスト制御部１６４がコマンド（又はコマンド及びデータ）を通信部１１５に伝送し、コマンドに応じて通信部１１５がホスト制御部１６４にレスポンス（又はレスポンス及びデータ）をホスト制御部１６４に伝送する。また第１のデータ転送方式のみを使用してデータ転送を行なうモードを第１のデータ転送モードとする
【００５５】
チューナ部コントローラ１１６は、ホスト制御部１６４から通信部１１５に伝送された受信開始指令又は受信チャンネルの指定等の指令に従って、チューナ１１２の受信を開始し、受信チャンネルを設定等する。
【００５６】
チューナ１１２は、チューナコントローラ１１６の指令に従って、選択されたチャンネルの地上波デジタル放送信号を受信する。チューナ部１１１の復調部１１３は、チューナ１１２が受信した地上波デジタル放送信号をベースバンド信号に復調し、そのＴＳ及びＴＳのデータ転送用のクロック（以下、「ＴＳクロック」と言う。）を生成する。
【００５７】
復調部１１３とデコーダ兼デスクランブラ１６３とは、データ線１３２で接続されている。復調部１１３とクロック生成部１６６とは、クロック線１３１で接続されている。復調部１１３は、クロック線１３１及びデータ線１３２を介し一方向に、クロック生成部１６６及びデコーダ兼デスクランブラ１６３に、連続信号であるＴＳクロック及びＴＳ（映像信号及び音声信号を含む。）を転送する（以下、「第２のデータ転送方式」と言う）。第２のデータ転送方式は、ＴＳクロックを使用するシンクロナス方式の通信である。また第２のデータ転送方式を使用してデータ転送を行なうモードを第２のデータ転送モードとする（第１のデータ転送方式と第２のデータ転送方式を同時に使用する場合も含む）。
【００５８】
クロック生成部１６６は、ＴＳクロックを入力し、Ｎ分周する。更に、ＴＳクロックそのものをデコーダ兼デスクランブラ１６３に転送し、Ｎ分周したＴＳクロックを入出力部１６５に転送する。
【００５９】
デコーダ兼デスクランブラ１６３には、ＴＳクロック及びＴＳが入力される。ホスト機器１６０のデコーダ兼デスクランブラ１６３は、ＴＳクロックに応じてＴＳを入力し、地上波デジタル放送信号をデコードし、デスクランブルする。
【００６０】
入出力部１６５は、デコーダ兼デスクランブラ１６３が出力した映像信号及び音声信号を、Ｎ分周したＴＳクロックのタイミングで、ディスプレイ及びスピーカ（外部機器として接続し又は内蔵する。）に出力する。
【００６１】
カード情報記憶部１１７は、機能モジュールカード１１０が地上波デジタル放送を受信可能であること、地上波デジタル放送のＴＳを第２のデータ転送方式で送信可能であること、及び第１のデータ転送方式でデータ信号を送受信可能であることを含む、機能モジュールカード１１０の機能に関する情報（「カード情報」と呼ぶ。）を記憶している。
【００６２】
メモリ１１８は、不揮発性メモリ（実施の形態１においてはフラッシュメモリ）である。メモリ１１８は、ホスト機器１６０のホスト制御部１６４から通信部１１５に送信されたデータが書き込まれ、又メモリ１１８から読み出したデータは通信部１１５及びホスト制御部１６４を介してホスト機器１６０に伝送される。
【００６３】
機能モジュールカード１１０において、チューナ部１１１のＴＳ及びＴＳクロックの出力バッファ（図示しない。）と通信部１１５とは、機能モジュールカード１１０の通信部を構成する。チューナ部１１１のチューナ１１２及び復調部１１３は、放送信号受信部を構成する。
【００６４】
ホスト機器１６０において、デコーダ兼デスクランブラ１６３の入力バッファ（図示しない。）と、クロック生成部１６６の入力バッファ（図示しない。）と、ホスト制御部１６４の通信部１１５との通信インターフェースとは、ホスト機器１６０の通信部を構成する。デコーダ兼デスクランブラ１６３と、クロック生成部１６６と、入出力部１６５の映像信号及び音声信号の出力インターフェース（図示しない。）とは、ホスト機器１６０の放送信号出力部を構成する。
【００６５】
図２及び図３を用い、本発明の実施の形態１の機能モジュールカードの制御方法及びホスト機器の制御方法を説明する。図２は、本発明の実施の形態１のデジタル放送受信方法（機能モジュールカードの制御方法及びホスト機器の制御方法を含む。）において、ユーザがホスト機器１６０に地上波デジタル放送の受信開始を指令してから、機能モジュールカード１１０のチューナ部１１１が動作開始するまでの機能モジュールカード１１０及びホスト機器１６０の制御方法を示すフローチャートである。
【００６６】
ユーザは、入出力部１６５に地上波デジタル放送の受信開始指令を入力する。ホスト制御部１６４は、地上波デジタル放送の受信開始指令を入出力部１６５からバスライン１６２を介して受け取る。ステップ２２１でホスト制御部１６４は、コマンド／レスポンス線１４２を介して通信部１１５にカード情報の送信要求指令を送信する。ホスト制御部１６４は、コマンド又はデータを送信時及びレスポンス又はデータを受信時、クロック線１４１からホストクロックを出力する。
【００６７】
機能モジュールカード１１０の通信部１１５は、カード情報の送信要求指令を受信する（ステップ２０１）。通信部１１５は、機能モジュールカード１１０が地上波デジタル放送を受信可能であること、及び地上波デジタル放送のＴＳを第２のデータ転送方式で送信可能であること、を含むカード情報をカード情報記憶部１１７から読み出し、ホスト制御部１６４にデータ線１４３、又はデータ線１４３及び１４４を介して送信する（ステップ２０２）。ホスト制御部１６４はステップ２２２でカード情報を受信し、ステップ２２３で機能モジュールカード１１０に第２のデータ転送方式によるデータ転送を許可する通知を、コマンド／レスポンス線１４２を介して通信部１１５に送信する。ステップ２０３で通信部１１５は、第２のデータ転送方式によるデータ転送の許可通知を受信する。通信部１１５は、チューナ部コントローラ１１６にチューナ部１１１の受信開始を指令する。チューナ部コントローラ１１６は、チューナ部１１１の動作を開始させる（ステップ２０４）。
【００６８】
図３は、本発明の実施の形態１のデジタル放送受信方法（機能モジュールカードの制御方法及びホスト機器の制御方法を含む。）において、ホスト機器１６０から機能モジュールカード１１０への視聴するチャンネルの指定方法及び、機能モジュールカード１１０からホスト機器１６０へのＴＳの転送方法を示すフローチャートである。
【００６９】
ユーザは、ホスト機器１６０の入出力部１６５を介し、視聴するチャンネルを指定する。入出力部１６５はホスト制御部１６４に受信チャンネル指定指令の送信を指示する。ホスト制御部１６４は機能モジュールカード１１０の通信部１１５に、コマンド／レスポンス線１４２を介して受信チャンネル指定の指令を送信し、データ線１４３又はデータ線１４３及び１４４を介して受信チャンネルの値を送信する（ステップ３２１）（以後、受信チャンネル指定指令とそのチャンネルの値とを合わせて「受信チャンネル指定指令」と呼ぶ。）。ホスト制御部１６４は、コマンド又はデータを送信時及びレスポンス又はデータを受信時、クロック線１４１からホストクロックを出力する。機能モジュールカード１１０の通信部１１５は受信チャンネル指定指令を受信する（ステップ３０１）。通信部１１５は、コマンド／レスポンス線１４２を介してホスト制御部１６４にＡＣＫ信号を送信する（ステップ３０２）。ホスト制御部１６４はＡＣＫ信号を受信する（ステップ３２２）。
【００７０】
以上のステップ３０１〜３０２及びステップ３２１〜３２２のデータ伝送は、第１のデータ転送方式で実行される。
【００７１】
通信部１１５はチャンネル指定指令をチューナ部コントローラ１１６を介してチューナ部１１１に送る。ステップ３０３で、チューナ１１２は、アンテナ１５０から指定されたチャンネルの地上波デジタル放送信号を受信し、復調部１１３に入力する。復調部１１３は、地上波デジタル放送信号をベースバンド信号に復調し、ＴＳを生成し、ＴＳから抽出した同期信号に基づいてＴＳクロックを生成する（ステップ３０４）。ステップ３０５で復調部１１３は、ホスト機器１６０のクロック生成部１６６に、ＴＳクロックをクロック線１３１を介して送信する。クロック生成部１６６は、受信したＴＳクロックを、そのままデコーダ兼デスクランブラ１６３に転送する。ステップ３０６で復調部１１３は、ホスト機器１６０のデコーダ兼デスクランブラ１６３に、ＴＳをデータ線１３２を介して送信しステップ３０３に戻る。ＴＳは、ホストクロックではなく、復調部１１３で生成されたＴＳクロックに同期して転送される。ステップ３２３で、デコーダ兼デスクランブラ１６３はＴＳ及びＴＳクロックを受信する。ステップ３０５、ステップ３０６及びステップ３２３のデータ転送は第２のデータ転送方式により実行される。
【００７２】
デコーダ兼デスクランブラ１６３は、ＴＳをデコードし、デスクランブルして映像信号及び音声信号を生成し、バスライン１６２を介して入出力部１６５に送信する（ステップ３２４）。入出力部１６５は、映像信号及び音声信号を受信し、ＴＳクロックをＮ分周したクロックのタイミングで、ディスプレイ及びスピーカに出力する。映像・音声信号が再生され（ステップ３２５）。その後ステップ３２３に戻る。
【００７３】
ホストクロックと、ＴＳクロックとは互いに同期していない全く別個のクロックである。実施の形態１では、通常のマスター／スレーブ方式の通信に使用する信号線（コマンド／レスポンス線１４２、クロック線１４１、データ線１４３及びデータ線１４４）とは別の２本の信号線（クロック線１３１及びデータ線１３２）を介して、ＴＳから生成したＴＳクロックでＴＳの転送を行うので、ホスト機器１６０のデコーダ兼デスクランブラ１６３は、機能モジュールカード１１０が受信したデジタル放送信号に完全に同期することが可能である。ホスト機器１６０は、映像信号及び音声信号を正しく、不連続（例えば画面（又は音声）のブラックアウト、フリーズ又はスキップ）が発生しないように再生できる。
【００７４】
ホスト機器１６０と機能モジュールカード１１０とは、第２のデータ転送方式によるＴＳの伝送と並行して、第１のデータ転送方式により、チャンネル設定の操作指令等を伝送できる。機能モジュールカード１１０からホスト機器１６０へのＴＳの伝送が行われている時に、ホスト機器１６０はユーザからの受信チャンネル指定指令を受信し、機能モジュールカード１１０に送信できる。また、ホスト機器１６０は、機能モジュールカード１１０からホスト機器１６０へのＴＳの伝送が行われているか否かに関係なく、メモリ１１８にデータを書き込み、又はデータを読み出すことができる。
【００７５】
第１のデータ転送方式における１本のデータ線１４３又は２本のデータ線１４３及び１４４でのデータ転送は、汎用の機能モジュールカードで規定されている、同じデータ転送プロトコルに従って実行される。これにより、機能モジュールカード１１０は、本発明のホスト機器１６０のみならず、従来のホスト機器に装着した場合にも、少なくともデジタル放送受信機能以外の機能（例えばメモリ１１８のデータ格納機能）を実行することができる。本発明のホスト機器１６０に、本発明の機能モジュールカード１１０のみならず、従来の機能モジュールカード（ＴＳ及びＴＳクロックを出力できない。）と接続した場合にも、従来の機能モジュールカードの機能を発揮させることができる。
【００７６】
実施の形態１において、ＳＤカードである機能モジュールカード１１０と、ホスト機器１６０とは、通常のＳＤカードで規定されるデータ転送プロトコル（例えば、Matsushita Technical Journal（日本）、2002年、第４８巻、第３号、p.110参照。）に従って、第１のデータ転送方式でのデータ転送を実行する。通常のＳＤカードで規定されるデータ転送プロトコルにおいては、１本のデータ線を使用する１ビットモード又は４本のデータ線を使用する４ビットモードでのデータ転送が可能である。実施の形態１の第１のデータ転送方式はデータ線１４３、１４４の何れか１本を使用する１ビットモードのデータ転送である。
【００７７】
実施の形態１では、機能モジュールカード１１０とホスト機器１６０とは、チューナ部１１１とデコーダ兼デスクランブラ１６３とをそれぞれ分離して搭載している。機能モジュールカード１１０からバス１７０には、スクランブルされたＴＳが出力される。ＴＳは正しいスクランブル情報を有するホスト機器１６０でしかデスクランブルできないので、例えば機能モジュールカード１１０を、地上波デジタル放送の視聴契約をしていないユーザのホスト機器に装着しても、そのユーザのホスト機器は、ＴＳを正しくデスクランブルできない。ＴＳに含まれるデジタルコンテンツの著作権を保護できる。
【００７８】
実施の形態１では、ホスト機器１６０は地上波デジタル放送を視聴するための必要最低限の機能しか搭載していない。その他の機能は機能モジュールカード１１０に搭載している。ホスト機器１６０は、機能モジュールカード１６０を搭載することでその機能を拡張できる。従って、地上波デジタル放送を受信するための全ての機能を搭載したホスト機器に比べ、低コストのホスト機器を提供可能である。ホスト機器１６０を購入したユーザが、購入後にホスト機器１６０の機能を拡張したい場合には、拡張する機能を搭載した機能モジュールカードをカードスロットに装着すれば良い。デジタル放送信号の放送規格が受信チャンネルによって異なる場合には、ユーザは、受信を希望するチャンネルのデジタル放送信号の仕様に対応したチューナを内蔵した機能モジュールカードを、カードスロットに装着すれば良い。
【００７９】
《実施の形態２》
図３、図４及び図５を用いて、本発明の実施の形態２の機能モジュールカード、ホスト機器及びそれらの制御方法を説明する。
【００８０】
図４は、本発明の実施の形態２の機能モジュールカード及びホスト機器を有するデジタル放送受信装置の構成を示す図である。図４において、４１０は機能モジュールカード、４６０はホスト機器である。実施の形態２の機能モジュールカード４１０は、実施の形態１の機能モジュールカード１１０（図１）のカード制御部１１４及び通信部１１５をカード制御部４１４及び通信部４１５に置き換え、セレクタ４２０を加えたものである。セレクタ４２０は、スイッチ４２１及び４２２を有する。実施の形態２のホスト機器４６０は、実施の形態１のホスト機器１６０（図１）のホスト制御部１６４をホスト制御部４６４に置き換え、セレクタ４７０を加えたものである。セレクタ４７０は、スイッチ４７１及び４７２を有する。
【００８１】
機能モジュールカード４１０とホスト機器４６０とは、バス１７０を介して接続している。バス１７０は、クロック線１３１、データ線１３２、クロック線１４１、データ線１４３及び１４４及びコマンド／レスポンス線１４２を有する。また、クロック線１３１はデータ線として使われる場合もある。
【００８２】
図４に示すデジタル放送受信装置において、図１に示したデジタル放送受信装置と共通の部分には同一の符号を使用し、説明を省略する。
【００８３】
機能モジュールカード４１０の通信部４１５とホスト機器４６０とは、ホスト機器４６０のクロック（ホストクロック）により実施の形態１で説明した第１のデータ転送方式でデータ転送を実行する。カード制御部４１４の通信部４１５とホスト機器４６０のホスト制御部４６４とは、クロック線１４１、コマンド／レスポンス線１４２、並びに１本のデータ線１４３（又は２本のデータ線１４３、１４４、又は４本のデータ線１３１（クロック線１３１をデータ線として使用する。）、１３２、１４３、１４４）を介し、第１のデータ転送方式によってデータ転送を行う。
【００８４】
（ｉ）スイッチ４２１、４２２、４７１及び４７２が破線側に切り替わっている場合（「第１のデータ転送モード」と呼ぶ。）、機能モジュールカード４１０からホスト機器４６０にＴＳ及びＴＳクロックの転送は行われない。この場合、クロック線１３１及びデータ線１３２は、ホスト制御部４６４と通信部４１５との間のデータ転送において、データ線として使用される。カード制御部４１４の通信部４１５とホスト機器４６０のホスト制御部４６４とは、クロック線１４１、コマンド／レスポンス線１４２、並びに４本のデータ線１３１、１３２、１４３、１４４（４本のデータ線を使用する場合以外に、１本のデータ線１４３、又は２本のデータ線１４３、１４４を使用する場合があっても良い。）を介し、第１のデータ転送方式によってデータ転送を行う。例えば、メモリ１１８からホスト機器４６０へのデータ転送を行う際に、データ線として使用される。データバス１７０は最大４ビットのバス幅を有する故、大量のデータを高速伝送することができる。
【００８５】
（ｉｉ）スイッチ４２１、４２２、４７１及び４７２が実線側に切り替わっている場合（第２のデータ転送モード）のデータ転送方式（第２のデータ転送方式）を説明する。機能モジュールカード４１０の復調部１１３から、クロック線１３１を介し、ホスト機器４６０のクロック生成部１６６を経由し、デコーダ兼デスクランブラ１６３にＴＳクロックが転送される（クロック生成部１６６からデコーダ兼デスクランブラ１６３に転送される信号は、ＴＳクロックそのものである。）。復調部１１３からデコーダ兼デスクランブラ１６３に直接、データ線１３２を介しＴＳが転送される。第２のデータ転送方式は、ＴＳクロックを使用するシンクロナス方式の通信である。
【００８６】
この場合、カード制御部４１４の通信部４１５とホスト機器４６０のホスト制御部４６４とは、クロック線１４１、コマンド／レスポンス線１４２、並びに１本のデータ線１４３（又は２本のデータ線１４３、１４４）を介し、第１のデータ転送方式によってデータ転送を行う。第２のデータ転送方式を実行している時にも（第２のデータ転送モードにおいても）、並行して第１のデータ転送方式でデータ転送を実行できる。
【００８７】
機能モジュールカード４１０において、チューナ部１１１のＴＳ及びＴＳクロックの出力バッファ（図示しない。）、通信部４１５及びセレクタ４２０は、機能モジュールカード４１０の通信部を構成する。チューナ部１１１のチューナ１１２及び復調部１１３は、放送信号受信部を構成する。
【００８８】
ホスト機器４６０において、デコーダ兼デスクランブラ１６３の入力バッファ（図示しない。）と、クロック生成部１６６の入力バッファ（図示しない。）と、ホスト制御部４６４の通信部４１５との通信インターフェースと、セレクタ４７０とは、ホスト機器４６０の通信部を構成する。デコーダ兼デスクランブラ１６３と入出力部１６５の映像信号及び音声信号の出力インターフェース（図示しない。）と、クロック生成部１６６とは、ホスト機器４６０の放送信号出力部を構成する。
【００８９】
図３及び図５を用い、本発明の実施の形態２の機能モジュールカードの制御方法及びホスト機器の制御方法を説明する。図５は、本発明の実施の形態２のデジタル放送受信方法（機能モジュールカードの制御方法及びホスト機器の制御方法を含む。）において、ユーザがホスト機器４６０に地上波デジタル放送の受信開始を指令してから、セレクタ４２０及び４７０（スイッチ４２１、４２２、４７１及び４７２）が切り替わるまでの機能モジュールカード４１０及びホスト機器４６０の制御方法を示すフローチャートである。ホスト機器４６０及び機能モジュールカード４１０は、電源起動時に、それぞれスイッチ４７１、４７２、４２１及び４２２を破線側に設定する。これにより、電源起動時にホスト機器４６０及び機能モジュールカード４１０は従来のホスト機器及び機能モジュールカードと同一のインターフェース（第１のデータ転送モード）を有し、従来のホスト機器及び機能モジュールカードと完全なインターフェース上の互換性を有する。ユーザは、入出力部１６５に地上波デジタル放送の受信開始指令を入力する。ホスト制御部４６４は、地上波デジタル放送の受信開始指令を入出力部１６５からバスライン１６２を介して受け取る。ステップ５２１でホスト制御部４６４は、コマンド／レスポンス線１４２を介して通信部４１５にカード情報の送信要求指令を送信する。ホスト制御部４６４は、コマンド又はデータを送信時及びレスポンス又はデータを受信時、クロック線１４１からホストクロックを出力する。
【００９０】
機能モジュールカード４１０の通信部４１５は、カード情報の送信要求指令を受信する（ステップ５０１）。カード情報記憶部１１７は、地上波デジタル放送のＴＳのデータ転送方式に関する情報を含む情報（「カード情報」と呼ぶ。）を記憶している。実施の形態２においてカード情報記憶部１１７は、機能モジュールカード４１０が地上波デジタル放送を受信可能であること、地上波デジタル放送のＴＳを第２のデータ転送方式で送信可能であること、及び第１のデータ転送方式でデータ信号を送受信可能であることを含む、機能モジュールカード４１０の機能に関する情報情報を記憶している。通信部４１５は、カード情報をカード情報記憶部１１７から読み出し、ホスト制御部４６４にデータ線１４３、又はデータ線１４３及び１４４、又は４本のデータ線１３１、１３２、１４３及び１４４を介して送信する（ステップ５０２）。ホスト制御部４６４はステップ５２２でカード情報を受信する。ＣＰＵ１６１はステップ５２３で、カード情報に基づき、第２のデータ転送方式によるデータ転送を許可するか否か判断する。
【００９１】
機能モジュールカード４１０が第２のデータ転送方式によるデータ転送機能を有し、且つメモリ１１８がホスト機器４６０との間で大量のデータを転送中でない場合、ＣＰＵ１６１は第２のデータ転送方式によるデータ転送を許可する。ＣＰＵ１６１が第２のデータ転送方式によるデータ転送を許可する場合、ステップ５２３からステップ５２４に進む。ホスト制御部４６４は、第２のデータ転送方式によるＴＳの転送の許可通知を通信部４１５にコマンド／レスポンス線１４２を介して送信する。ＣＰＵ１６１は、セレクタ４７０のスイッチ４７１及び４７２を実線側に切り替える。ステップ５０３で通信部４１５は、第２のデータ転送方式の許可通知を受信する。通信部４１５は、セレクタ４２０のスイッチ４２１及び４２２を実線側に切り替える（ステップ５０４）。通信部４１５は、チューナ部コントローラ１１６にチューナ部１１１の受信開始を指令する。チューナ部コントローラ１１６は、チューナ部１１１の動作を開始させる。チューナ部１１１はＴＳクロック及びＴＳをそれぞれクロック線１３１及びデータ線１３２に出力する。チューナ部１１１は、第２のデータ転送方式でＴＳをホスト機器４６０のデコーダ兼デスクランブラ１６３に伝送する（第２のデータ転送モード）。
【００９２】
機能モジュールカード４１０が第２のデータ転送方式によるデータ転送機能を有さず、又はメモリ１１８がホスト機器４６０との間で大量のデータを急いで転送中である場合、ＣＰＵ１６１は第２のデータ転送方式によるデータ転送を許可しない。ＣＰＵ１６１が、第２のデータ転送方式によるデータ転送を許可しない場合、ステップ５２３からステップ５２６に進む。ＣＰＵ１６１は、セレクタ４７０のスイッチ４７１及びスイッチ４７２を破線側に維持する（ステップ５２６）。ステップ５０３で通信部４１５は、第２のデータ転送方式の許可通知を受信せず、ステップ５０５に進む。ステップ５０５で、セレクタ４２０のスイッチ４２１及び４２２を破線側に維持する。
【００９３】
ホスト機器４６０が第２のデータ転送方式によるＴＳの転送を許可する場合、機能モジュールカード４１０からホスト機器４６０へのＴＳの転送は実施の形態１（図３）と同じ方法で実行される。図３は既に説明した。
【００９４】
ホスト機器４６０が第２のデータ転送方式によるＴＳの転送を許可しない場合、機能モジュールカード４１０からホスト機器４６０へのＴＳの転送は行われない。クロック線１３１及びデータ線１３２は、第１のデータ転送方式のデータ線として使用される。最大４本のデータ線でデータを伝送できることを除いて、実施の形態２の第１のデータ転送方式は、実施の形態１の第１のデータ転送方式と同じである。第１のデータ転送方式で動作するバスは、ＴＳ以外のデータ（例えば、実施の形態２ではメモリ１１８のデータ又はカード情報記憶部１１７のデータ）をホスト機器４６０と機能モジュールカード４１０との間で転送する際に利用される。
【００９５】
なお、実施の形態２において、第１のデータ転送モードにおける４本のデータ線１３１、１３２、１４３及び１４４でのデータ転送（第１のデータ転送方式）と、第２のデータ転送モードにおける１本のデータ線（１４３，１４４の何れか１本）でのデータ転送（第１のデータ転送方式）とは、それぞれ通常のＳＤカードで規定されるデータ転送プロトコル（実施の形態１で既に説明した。）に従って実行される。即ち、第１のデータ転送モードにおける第１のデータ転送方式は４ビットモード、第２のデータ転送モードにおける第１のデータ転送方式は１ビットモードでのデータ転送である。これにより、機能モジュールカード４１０は、本発明のホスト機器４６０のみならず、従来のホスト機器に装着した場合にも、少なくともデジタル放送受信機能以外の機能（例えばメモリ１１８のデータ格納機能）を実行することができる。本発明のホスト機器４６０に、本発明の機能モジュールカード４１０のみならず、従来の機能モジュールカード（ＴＳ及びＴＳクロックを出力できない。）と接続した場合にも、従来の機能モジュールカードの機能を発揮させることができる。
【００９６】
《実施の形態３》
実施の形態１の機能モジュールカード１１０及び実施の形態２の機能モジュールカード４１０を、第２のデータ転送方式によるＴＳの転送が不可能なホスト機器又は、第２のデータ転送方式によるＴＳの転送を許可しないホスト機器と組み合わせて使用する場合、ユーザは地上波デジタル放送を視聴できない。実施の形態３の機能モジュールカードはこの課題を解決するものである。図３、図５及び図６を用いて、本発明の実施の形態３の機能モジュールカード、ホスト機器及びそれらの制御方法を説明する。
【００９７】
図６は、本発明の実施の形態３の機能モジュールカード及びホスト機器を有するデジタル放送受信装置の構成を示す図である。図６において、６１０は機能モジュールカード、４６０はホスト機器である。図６に示すデジタル放送受信装置は、図４に示したデジタル放送受信装置の機能モジュールカード４１０を、機能モジュールカード６１０に置き換えたものである。ホスト機器４６０は、実施の形態２のホスト機器４６０（図４）と同じであるので、説明を省略する。実施の形態３の機能モジュールカード６１０は、実施の形態２の機能モジュールカード４１０（図４参照）のカード制御部４１４、通信部４１５、チューナ部１１１及び復調部１１３を、それぞれカード制御部６１４、通信部６１５、チューナ部６１１及び復調部６１３に置き換えたものである。カード制御部６１４は、ＴＳ受信部６２０、バッファメモリ６２１、バッファコントローラ６２２、通信部６１５、チューナ部コントローラ１１６及びカード情報記憶部１１７を有する。チューナ部６１１は、復調部６１３で生成したＴＳ及びＴＳクロックを、セレクタ４２０とＴＳ受信部６２０とに転送する。その他の構成は実施の形態２の機能モジュールカード４１０と同じであるので、共通の部分には同一の符号を使用し、説明を省略する。
【００９８】
機能モジュールカード６１０とホスト機器４６０とは、バス１７０を介して接続している。バス１７０は、クロック線（又はデータ線）１３１、データ線１３２、クロック線１４１、データ線１４３、１４４及びコマンド／レスポンス線１４２を有する。
【００９９】
機能モジュールカード６１０の通信部６１５とホスト機器４６０とは、ホスト機器４６０のクロック（ホストクロック）により第１のデータ転送方式でデータ転送を実行する。実施の形態３において、カード制御部６１４の通信部６１５とホスト機器４６０のホスト制御部４６４とは、クロック線１４１、コマンド／レスポンス線１４２、並びに１本のデータ線１４３（又は２本のデータ線１４３、１４４、又は４本のデータ線１３１、１３２、１４３、１４４）を介し、第１のデータ転送方式によってデータ転送を行う。
【０１００】
スイッチ４２１、４２２、４７１及び４７２が破線側に切り替わっている場合（第１のデータ転送モード）、機能モジュールカード６１０の復調部６１３からホスト機器４６０のホスト制御部４６４に、後で述べる転送方式によってＴＳが転送される。
【０１０１】
機能モジュールカード６１０において、チューナ部１１１のＴＳ及びＴＳクロックの出力バッファ（図示しない。）、通信部６１５及びセレクタ４２０は、機能モジュールカード６１０の通信部を構成する。チューナ部６１１のチューナ１１２及び復調部１１３は、放送信号受信部を構成する。
【０１０２】
図３及び図５を用い、本発明の実施の形態３の機能モジュールカードの制御方法及びホスト機器の制御方法を説明する。図５は、本発明の実施の形態３のデジタル放送受信方法（機能モジュールカードの制御方法及びホスト機器の制御方法を含む。）において、ユーザがホスト機器４６０に地上波デジタル放送の受信開始を指令してから、セレクタ４２０及び４７０（スイッチ４２１、４２２、４７１及び４７２）が切り替わるまでの機能モジュールカード６１０及びホスト機器４６０の制御方法を示すフローチャートである。図５は実施の形態２のデジタル放送受信方法と同じであるので、同様の動作の説明は省略する。
【０１０３】
ホスト機器４６０が第２のデータ転送方式によるＴＳの転送を許可する場合、機能モジュールカード６１０からホスト機器４６０へのＴＳの転送は実施の形態１及び実施の形態２（図３）と同じ方法で実行される（スイッチ４２１、４２２、４７１及び４７２が実線側に切り替わる。第２のデータ転送モード）。図３は既に説明した。
【０１０４】
ホスト機器４６０が第２のデータ転送方式によるＴＳの転送を許可しない場合（第１のデータ転送モード）、機能モジュールカード６１０からホスト機器４６０へのＴＳの転送は、次のように実行される。
【０１０５】
ＴＳ受信部６２０は、ＴＳ及びＴＳクロックを復調部６１３から受信し、ＴＳをバッファコントローラ６２２に転送する。バッファコントローラ６２２は、ＴＳを一旦バッファメモリ６２１に蓄える。ホスト制御部４６４は、ホスト機器４６０をマスターとするマスター／スレーブ方式のデータ転送方式によってバッファメモリ６２１に蓄積されたＴＳをホスト制御部４６４に転送する。機能モジュールカード６１０からホスト機器４６０に上記の第１のデータ転送方式で（ホストクロックを同期転送用クロックとして使用する。）ＴＳを送信する。クロック線１３１、データ線１３２、１４３及び１４４の４本の線をＴＳ転送のためのデータ線として使用する。バッファコントローラ６２２は、ホスト制御部４６４から、コマンド／レスポンス線１４２及び通信部６１５を介して送信されるＴＳ転送指令に基づいて、バッファメモリからＴＳを読み込み、送信する。
【０１０６】
ホスト制御部４６４は、ＴＳを受信し、ＣＰＵ１６１の指令に従って、ＴＳをデコーダ兼デスクランブラ１６３に転送する。デコーダ兼デスクランブラ１６３は、ＴＳパケットをデコード及びデスクランブルし、映像信号及び音声信号を入出力部１６５に転送する。入出力部１６５は映像信号及び音声信号を出力する。なお、第１のデータ転送方式で、ＴＳが機能モジュールカード６１０からホスト機器４６０に転送される場合、入出力部１６５は、ホストクロックのタイミングで映像信号及び音声信号を出力する。
【０１０７】
ＣＰＵ１６１は、ＴＳクロックの時間間隔又は一定時間当たりのＴＳクロック数を、バッファメモリ６２１に蓄積されているＴＳの変化量に基づいて監視する。ＴＳクロックの時間間隔が長くなった場合又は一定時間当たりのＴＳクロック数が減った場合は、デコーダ兼デスクランブラ１６３に、入出力部１６５への映像信号及び音声信号の出力速度を遅くする指示を出す。ＴＳクロックの時間間隔が短くなった場合又は一定時間当たりのＴＳクロック数が増えた場合は、デコーダ兼デスクランブラ１６３に、入出力部１６５への映像信号及び音声信号の出力速度を速くする指示を出す。これにより、ホスト機器４６０が第２のデータ転送方式によるＴＳの転送を許可しない場合にも、機能モジュールカード６１０からホスト機器４６０へＴＳを送信することができる。第２のデータ転送方式によるＴＳ伝送ほど映像信号及び音声信号の出力クロックが正確ではないが、画面（又は音声）のブラックアウト、フリーズ又はスキップを生じることなく、映像信号及び音声信号を出力できる。
【０１０８】
実施の形態３のホスト機器４６０はセレクタ４７０を有し、スイッチ４７１及びスイッチ４７２の切り替えによってＴＳのデータ転送方式を選択できるようになっているが、１つの転送方式にのみ対応しているホスト機器であっても良い。このような場合でも、機能モジュールカード６１０はセレクタ４２０のスイッチ４２１及び４２２を切り替え、ホスト機器に指定されたデータ転送方式（第１のデータ転送方式又は第２のデータ転送方式）でＴＳを転送できる。
【０１０９】
スイッチ４２１、４２２、４７１及び４７２が破線側に切り替わっている場合（第１のデータ転送モード）、ＣＰＵ１６１からの指令に基づいて、チューナ部６１１がＴＳ及びＴＳクロックを出力しないようにすることもできる。チューナ部６１１がＴＳ及びＴＳクロックを出力しない場合の機能モジュールカード６１０及びホスト機器４６０の動作は、実施の形態２の第１のデータ転送モードにおける機能モジュールカード４１０及びホスト機器４６０の動作と同一である。その説明を省略する。
【０１１０】
上記の実施の形態において、機能モジュールカード１１０、４１０、又は６１０に入力する信号は、ＢＳデジタル放送及びＣＳデジタル放送のデジタル放送信号であっても良い。
【０１１１】
実施の形態３によれば、ホスト機器が第１のデータ転送方式と第２のデータ転送方式とのいずれのデータ転送方式に対応している場合でも、チャンネル設定などの操作機能（第１の転送方式）とＴＳの転送（第１又は第２の転送方式）とを両立できるデジタル放送受信装置、その構成要素である機能モジュールカード及び安価なホスト機器を実現するという有利な効果が得られる。
【０１１２】
上記の実施の形態では、復調部６１３からデコーダ兼デスクランブラ１６３にＴＳクロックを、クロック生成部１６６を経由して転送した。これに代えて、復調部６１３からＴＳクロックを、クロック生成部１６６を経由せずに、デコーダ兼デスクランブラ１６３に転送しても良い。
【０１１３】
上記の実施の形態のスクランブルに代えて、デジタル放送信号を暗号化しても良い。この場合、機能モジュールカードがチューナ部を有し、ホスト機器がデコーダ及び暗号の復号化部を有する。機能モジュールカードがデコーダを有していても良い。
【０１１４】
なお、上記の実施の形態のトランスポートストリームに代えて、デコード後又はデスクランブル後のデータ信号（デジタル放送信号のデータ信号）であっても良い。この場合、機能モジュールカードがデコーダ又はデコーダ兼デスクランブラを有する。
【０１１５】
本発明の機能モジュールカード及びホスト機器を有するデジタル放送受信装置は、ホスト機器と機能モジュールカードとに、デスクランブラとチューナ部とを分離して搭載する。機能モジュールカードは、ＴＳの同期信号から生成したクロック（ＴＳクロック）とＴＳとを、バスへ直接出力することができる。
【０１１６】
本発明によれば、デジタル放送受信機能を有する機能モジュールカードをオプションユニットとしてホスト機器に取り付け可能なデジタル放送受信装置、その構成要素である機能モジュールカード及び安価なホスト機器を実現するという有利な効果が得られる。
【０１１７】
本発明によれば、汎用のインターフェースと、デジタル放送信号受信機能とを有し、正しいクロックでデジタル放送信号をホスト機器に転送する機能モジュールカード、それに対応するホスト機器及びそれらの制御方法を実現するという有利な効果が得られる。
【０１１８】
本発明によれば、機能モジュールカードからホスト機器にＴＳを送信中にも、通常のデータ転送方式によるデータ転送が可能な機能モジュールカード、それに対応するホスト機器及びそれらの制御方法を実現するという有利な効果が得られる。
【０１１９】
機能モジュールカードは、ＴＳをホスト機器に転送する際、ホスト機器のクロックに同期した第１の転送方式とＴＳの同期信号から生成したクロックに同期した第２の転送方式とから、ホスト機器が指定した転送方式を選択する。従って、ホスト機器がいずれの転送方式に対応している場合でも、チャンネル設定などの機能（第１の転送方式）とＴＳの転送（第１又は第２の転送方式）とを両立できるデジタル放送受信装置、その構成要素である機能モジュールカード及び安価なホスト機器を実現するという有利な効果が得られる。
【０１２０】
本発明によれば、デジタル放送受信機能を有し、ホスト機器にオプションユニットとして取り付け可能であり、放送局に対価を支払ったユーザのホスト機器に装着しなければ、デジタル放送を正常に出力できない機能モジュールカード、それに対応する安価なホスト機器及びそれらの制御方法を実現するという有利な効果が得られる。機能拡張性が高く、デジタルコンテンツの著作権保護が可能な安価なホスト機器、それに対応する機能モジュールカード及びそれらの制御方法を実現するという有利な効果が得られる。
【０１２１】
発明をある程度の詳細さをもって好適な形態について説明したが、この好適形態の現開示内容は構成の細部において変化してしかるべきものであり、各要素の組合せや順序の変化は請求された発明の範囲及び思想を逸脱することなく実現し得るものである。
【産業上の利用可能性】
【０１２２】
本発明の機能モジュールカード、ホスト機器及びそれらの制御方法は、例えば、デジタル放送受信装置を構成する機能モジュールカード、ホスト機器及びそれらの制御方法として有用である。
【図面の簡単な説明】
【０１２３】
【図１】本発明の実施の形態１の機能モジュールカード及びホスト機器を有するデジタル放送受信装置の構成を示す図。
【図２】本発明の実施の形態１のデジタル放送受信方法（機能モジュールカードの制御方法及びホスト機器の制御方法を含む。）において、ユーザがホスト機器に地上波デジタル放送の受信開始を指令してから、機能モジュールカードのチューナ部が動作開始するまでの機能モジュールカード及びホスト機器の制御方法を示すフローチャート。
【図３】本発明の実施の形態１、２及び３のデジタル放送受信方法（機能モジュールカードの制御方法及びホスト機器の制御方法を含む。）において、ホスト機器１６０から機能モジュールカード１１０への視聴するチャンネルの指定方法及び、機能モジュールカード１１０からホスト機器１６０へのＴＳの転送方法を示すフローチャート。
【図４】本発明の実施の形態２の機能モジュールカード及びホスト機器を有するデジタル放送受信装置の構成を示す図。
【図５】本発明の実施の形態２及び３のデジタル放送受信方法（機能モジュールカードの制御方法及びホスト機器の制御方法を含む。）において、ユーザがホスト機器に地上波デジタル放送の受信開始を指令してから、セレクタが切り替わるまでの機能モジュールカード及びホスト機器の制御方法を示すフローチャート。
【図６】本発明の実施の形態３の機能モジュールカード及びホスト機器を有するデジタル放送受信装置の構成を示す図。
【手続補正３】
【補正対象書類名】図面
【補正対象項目名】全図
【補正方法】変更
【補正の内容】
【図１】
2004105387.tif 000009
【図２】
2004105387.tif 000010
【図３】
2004105387.tif 000011
【図４】
2004105387.tif 000012
【図５】
2004105387.tif 000013
【図６】
2004105387.tif 000014
【国際調査報告】
2004105387.tif 000015
2004105387.tif 000016
2004105387.tif 000017
2004105387.tif 000018
2004105387.tif 000019
2004105387.tif 000020
2004105387.tif 000021
2004105387.tif 000022